(57)【要約】通常の平均的な身長の人体が着座時にその脚足を収容可能な大きさで、かつ、重量物品を収納しても大地震に耐える強度を有する脚物箱と、多数の脚物箱が並べて広汎に配設される耐震平箱とを備える１階の床ブロックと、脚物箱の箱底が載置され、脚物箱の略全重量を床下の基礎材に直接的に伝える箱台板と、広汎な床下空間に軽量物品が収納される２階の床ブロックと、下部が前記基礎材に埋込み固定され、前記１階の床ブロック及び前記２階の床ブロックと連結される骨格材とにより形成され、強震に対抗するべく構成された耐震体を有する養護装置。
2014077418.tif 000002
【特許請求の範囲】
【請求項１】
生存の維持に不可欠な必需材の枯渇の危機切迫に対して住革新による多目的装置（対強震・収納・資源・空間・省エネ・能率事務）であって、重量物品の略全重量が箱台板・脚物箱を介して直接的に床下の基礎材に支持される脚物装置を備えた１階の床ブロックと軽量物品を収納するべき２階の床ブロックと現垂直収納（書籍棚・食器棚・他家具全般）の強震時に於ける危険性の回避手段、略全床下空間の有効活用・徹底的省エネ・事務能率化・他の活用手段、強震時の該垂直収納による家屋への負担を軽減する軽減手段等が可能になるよう構成された略広汎な床下空間の活用による水平収納装置とそれら自体が強震への対抗性を追求した構造・強度に構成され該各ブロックや装置と相互補完的に強力に連結され下部が基礎材に埋込み固定・垂設され強力な枠組みに強連結された枠組み装置とを具備し、強震等による衝撃力への対抗性を極力追及してまとまりのある構造物に構成された耐震体を有することを特徴とした養護装置。
【請求項２】
前記養護体は人体の膝下の脚足部や各種の物品を収納するべき脚物箱を多数個ほど収容可能で各角部に強固な横柱・縦柱を配し、該各柱の側部に強固に結合された強板（合板）等によってそれ自体が充分に強震に対抗しうるよう強固に構成された各階の床ブロックや屋根ブロックとそれらにも採用可能で家屋の下部・中部・上部に配置された耐震ブロックと該耐震ブロックの横柱・縦柱に強連結材によって強固に強連結された鉄鋼製の前記骨格材とを具備し、家屋の要部を支え全家屋にわたって相互補完的な役割を備えそれ自体が強力な構造物の重要な要素を成す耐震ブロックと該骨格材とによって強力に枠組連結されて強震の衝撃力への対抗性を追求してまとまりのある構造物に構成された耐震体を有する請求項１に記載の養護装置。
【請求項３】
前記養護体は、基礎材の適所に下部が強連結（埋込み固定）されて垂設されて両側面に嵌合溝を備えて強固に形成された長枠材の該骨格材の該嵌合溝に嵌合（望ましくは適度のバネ性を備えて）される側端縁を備えた建用材（略矩形の側壁ブロックまたは略平箱状の耐震ブロック）とを具備し、前記建用物に強震による衝撃力の付加に対しては該骨格材の該嵌合溝から該建用材の側端縁が外部へ外れることなく該嵌合によって該建結状態が極力常時維持され、従って該骨格材の垂直性が維持される骨格材の垂直手段及び該建用材の崩壊が抑制される原型手段が極力維持されて、強震に対抗するべく構成された耐震体を有する請求項１に記載の養護装置。
【請求項４】
前記養護体は、複数本の骨格材の下部が埋込み固定された基礎材から上方へ突設された基礎凸起と、該基礎凸起の上に防湿材を介して載置された箱台板と、該箱台板の上に底面が載置され１階の居住床に形成された収容穴に対応してその下方に配置され略大部分の日常の重量物品が収容された多数個の脚物箱と、該脚物箱の開口部から嵌入され、垂直方向の多少の移動や該箱台板と１階の居住床との高さのバラツキを充分に吸収するべき垂直片及び該垂直片の上端縁から略水平方向に延設されて、その上面が該居住床の下面に（弱）付設され、強震の衝撃力の付加に対しては該居住床（建築物）への無理な衝撃力から即座に離脱が可能で１階の居住室の空気と床下の空気との流通が抑制されて該居住室の居住性が充分に確保されるべく形成された配置材とを具備して構成された耐震体を有する請求項１に記載の養護装置。
【請求項５】
前記養護体は、前記骨格材に形成された縦方向の定間隔の係合孔に係合される係合片及び載置片を備えた強固な金属製の複数の係合材と該係合孔の位置によって高さが設定された載置片に載置される枠状の載置枠と該載置枠に端縁下面が載置され高さを選定して設定される各ブロックと該骨格材の他の係合孔に貫通された強ボルトを挿通した各ブロックとを具備し、該強連結の高さ・数量の選定、連結・解除・取替えが可能で部材の処理・部分的再利用・居住土地の移動・再組立や強壮部材の長期使用等が可能に構成された耐震体を有する請求項１に記載する養護装置。
【請求項６】
前記養護体は、前記屋根ブロックの屋根裏の空部や前記側壁ブロックの空部に収容されて従来の重い粘土や化石材製の遮断材の代わりとして並べて配設される直方体で厚紙製の遮断箱と、古新聞紙や不要の古紙等が該遮断箱の内部にもみくちゃにして収納され、空気室が細分化されて熱伝導・空気の対流が抑制されて、遮断性・防音性を極力向上すると共に超経済性・製造組立性・超軽量性を備えて構成され、建物の最上部や中間部に於ける重量が極力軽減されて強震の衝撃力に対抗して構成された遮断材を具備して構成された耐震体を有する請求項１に記載の養護装置。
【請求項７】
前記養護体は表面処理済の鉄板が取替え可能に木板に結合され前記屋根ブロックの一部として類焼抑制用に付設され、必要によりスポット溶接等によって取付可能に構成された軽屋根と、該軽置屋根と該軽置屋根の裏側に一定の排気隙を備えて付設され、多数の前期遮断箱が並べて載置された遮熱板と該遮熱板の下方の空間に一定の脱気隙を備えて天井板の上に載置された軽物箱と前記床下の基礎空間の床空気が壁間隙を通って該軽物箱や該排気隙・該脱気隙を経て排出されるべく極力太陽光発電や風力によって回動される排気扇とを必要選択的に具備し、大地震の大きな影響を受ける建築最上部が相当の軽量の屋根ブロックでありながら太陽光の照射熱等が２階・１階の住空間へ悪影響を誘起しにくく、相応の耐震性の１要素を極力提供可能に構成された耐震体を有する請求項１に記載の養護装置。
【請求項８】
前記養護体は、一般住宅・諸施設に於ける広間・居室に載置される座居机の下方の床下に、使用各者の脚足部を各々独立的に挿入・収容して下記各手段の誘引となる多目的用に複数回に区画（該座居机の床下空間が数分の１に断熱的に分断）された標準構成で略断熱用の脚物箱と該使用各者の各室に於ける腰掛姿勢に類似して・勉学・諸事務の能率化を図って構成される事務能率手段と大電力や化石燃焼による全室暖房や全床暖房に代って極小コタツ・簡易カイロ・毛布等の極小暖房への転換を図る極小暖房手段とエネルギーの枯渇・原子力発電の危険性から再生可能エネルギーへのエネルギーのＥ転換手段と資源枯渇への対応を図る節電徹底手段とを必要選択的に具備し、極力持続的安定と耐震性の向上を遠目標にその一手段を図る耐震体を有する請求項１に記載の養護装置。
【請求項９】
前記養護体は、床改築・新築時の省エネルギー化・他多目的用に設計・構成される床構成であって、略全室の横柱間に略全室の床下に標準の収容穴を備え、標準化された居住床と該収容穴に嵌入される強段ボール製で略直方体状に形成された脚物箱と該脚物箱の開口窓を閉鎖して通常の居住床・座居机・電気コタツにも併用可能で収納物品の確認や室内の移動使用も可能に配置記号が付されたカバーと該脚物箱が載置されるべく特に１階では基礎突起の上に載置されて全重量が基礎材に支持される箱台板とを具備し、重量物品の全重量の負担が無く強震の衝撃力に対して極力有利に構成された耐震体を有する請求項１の記載の養護装置。
【請求項１０】
前記養護体は、現在使用中の居住床の省エネルギー化・事務能率化用に個々に対応して構成される床構成であって、使用室の座居机の下方床下の床柱の配置と座居机の設置位置が確認されるべく径細の孔明具によって形成される細孔と該細孔に挿通して貫通された胃カメラ状で該座居机下の床柱の位置を確認用の確認具と該細孔に貫通された糸ノコによって居住床に設置される前記座居机を挿入・設置用の収容穴とを必要選択的に具備し、現在の居住床に設置された該座居机や電気コタツを応急的な腰掛姿勢に類似して勉学・諸事務の能率用に具備してその便宜を図るとともに、現在使用中の居住床に於ける腰掛け姿勢の脚足部の極小空間の極小暖房を可能にし、全室暖房・全床暖房の代用として徹底省エネ化を図るよう構成された耐震体を有する請求項１に記載の養護装置。
【請求項１１】
前記養護体は、前記脚物箱に収容される収容物品の各層毎のスナップ写真データを蓄積用のCDや該CDのデータを再生可能なDVD・パソコンまたは写真集等を含む写真管理材と略同型同大で規則的に配設された該脚物箱への収容物品の品名や配置が掲載される収容物品名の管理表等の品名管理材と、望ましくは和室に於いては該収容物品の現物を比較的に的確・簡単に出入可能で表面は従来の畳和室と大差がなく標準畳の略数分の１の厚さの薄敷材とを必要選択的に具備し、収容物品を該写真集・管理表による小面積での全品管理で現状の前記垂直収納に於ける現物の探索・出入よりも的確で整然とした収納管理手段が可能で前記住革新への多目的の一手段を図る耐震体を有する請求項１に記載の養護装置。
【請求項１２】
前記養護体は、枯渇時期が切迫する化石資源製の粘着剤の塗布が不要な使い捨ての簡易カイロを取替え可能に収容するべく上端縁開口の略矩形袋状に形成された袋材と該袋材の両側縁とに長短取替え可能に連接された弾性を有する弾性材とを具備し、血流の要部とされる人体の各部（望ましくは例えば足首部・足表部・足裏部・大腿部・腰部・首部・他）を小〜大範囲に移動可能な移動熱部を構成して、その血流の促進によって対冷え症体質・心臓虚弱体質等への健康手段と略静止姿勢（立位姿勢・腰掛姿勢・寒中屋外姿勢）に於ける快適・健康手段と厳冬期に於ける全室暖房のカイロ暖房による節電徹底手段と、日常の意識更新による枯渇対策手段と、該移動熱部の血流促進の有効活用に必要不可欠な脚物手段と、重量物を収容せる脚物箱の重量を１階床下の基礎材によって略全面的に支持した耐震性に対応する耐震促進手段とを併備して構成された耐震体を有する請求項１に記載の養護装置。
【請求項１３】
前記養護体は、前記耐震体の各構成部材が標準化して極力経済的に提供可能に構成された標準型と、複数個の該標準型の各端部と連接して出入可能な水平断面略口型の連接型と、を具備し、複数個の該耐震体（標準）を組合せて［例えば横長型、逆L字型、略コ字型］等の集合住宅型がありながら、耐震性を保持した耐震体（連接）を有する請求項１に記載の養護装置。
【請求項１４】
前記養護体は、現在使用中の居住床の適所に前記収容穴が形成され、その床下に箱台板を介して前記脚物箱が配置されて前記座居机に於ける能率事務の向上・徹底的省エネを目標に極く小範囲に改良される部分改良段階と、該床下の縦方向長さの空間が最大限に活用されるべく必要な各部屋に略全室的に現在の居住床が外され露出した床柱の間の床下空間に箱台板を介して前記脚物箱が多数配置され、多数の収容穴が形成された新居住床で被覆され前記多目的装置を兼ねて当面の目標として中範囲に改良される多床改良段階と新しく企画・設計される新築に於いて前記耐震ブロックを各階ブロック・屋根ブロックに採用するとともに、略全床下空間の活用を図って現垂直収納から広汎な水平収納装置への略全面的な収納の転換も可能にして前記多目的装置や各手段の趣旨を活かすことを目標に革新的に改良される住革新段階とを必要選択的に具備した前記耐震体の使用方法を有する請求項1に記載の養護装置の使用方法。
【請求項１５】
前記養護体は、在来宅・新築宅の広間・居室に載置される座居机の下方の居住床に使用者の脚足部や各物品を整然と収納可能な脚物箱を収容しうる極力独立的な収容穴を複数個ほど形成する形成段階と、使用者の脚足部を略独立的に該脚物箱に収容して該座居卓を腰掛机と略同等に高能率の事務・勉学用に長時間使用可能な脚足収容段階と、不使用の脚物箱に必要な物品を垂直収納（本棚・家具・収納棚・押入れ）に代替して収納して水平方向の居住空間・居住地の有効活用を図ると共に大地震時に於ける各物品の落下・破壊や本棚・家具の転倒による人体への危機が切迫する事前に該床下空間の略全面活用によって回避する一手段とする物品収納段階とを必要選択的に具備した前記耐震体の使用方法を有する請求項１４に記載の養護装置の使用方法。
【発明の詳細な説明】
【技術分野】
【０００１】  本発明は、生存の維持に不可欠な必需材の枯渇の危機切迫に対して、住革新による多目的装置（対強震・収納・資源・空間・省エネ・能率事務）であって、重量物品の略全重量が箱台板・脚物箱を介して直接的に床下の基礎材に支持される脚物装置を備えた１階の床ブロックと、軽量物品を収納するべき２階の床ブロックと、現垂直収納（書籍棚・食器棚・他家具全般）の地震に於ける危険性の回避手段、略全床下空間の有効活用・徹底的省エネ・事務能率化・他の活用手段、強震時の該垂直収納による家屋への負担を軽減する軽減手段等が可能になるよう構成された略広汎な床下空間の活用による水平収納装置と、該各ブロックや装置を強固に支持するべく下部が基礎材に埋込み固定され強力な枠組みによる枠組装置とを具備し、強震等による衝撃力に対抗して構成された耐震体に関するものである。
【背景技術】
【０００２】  ２０世紀は去り、私達は２１世紀を迎えすでに１４年が過ぎた。ここで２０・２１世紀の時代を人類の歴史や地球の歴史上より顧みることは、単に１つの世紀の区切りの時代ということのみに止まらず極めて重要な意義を有することになった。恐らくこの数１０年の世界の対応如何が、未来に向けて永く生存するべき人類の運命を左右しかねない程、重要な意義を持つと予測される事態に至ってきた。資源の枯渇・地球温暖化・エネルギー不足・食料の限界・大量消費・廃棄物の増大・世界人口の激増・原発崩壊による健康問題・等への危機的傾向が深刻さを増し、いずれも全地球規模の課題となりつつあるからである。【０００３】  まず、２０世紀の前・後１世紀の変化の実態と予測とを客観的に把握しておく必要がある。図１は１９・２０世紀における主な変化の実態と、２１世紀に於いてこの傾向が続く場合の予測と、を示す。図１の図（ａ）・図（ｂ）を参考にして２０世紀の初めと終わりとを比較すると、世界人口は約3倍、国民総生産は約２１倍、エネルギー消費量は約６０倍に激増した。さらに、１９世紀中頃と２０世紀の終わりとを比較すると、世界人口は約８倍、国民総生産は約５０倍、エネルギー消費量は約８０倍に、各々爆発的に激増した。特に、世界の工業生産は２０世紀に１００倍以上増加した。革命的なまでに産業は発達し、人間の生活様式は大きく変化し、人間の活動力は大きく伸びた。【０００４】  このような著しい伸びは、私達の人間社会を物質的に豊かにした。人間の行動範囲は飛躍的に広がり、活動能力は伸長し、文明は高度に発達した。現在の文明は便利さと、快適さと、豊か社会と、を求めて成長と開発に努めてきた私達人類の汗の結晶であり、活動の軌跡である。確かに私達は１９世紀までよりはるかに発達した高度の文明を持ち、遺産として残すことができる。しかし、それら著しい活動の副産物として、資源枯渇の問題・地球温暖化の問題という大きく、かつ深刻な試練を受けることになっている。副産物の中には人間の居住パターンを変える程の大きな影響を及ぼすと予想されているものもある。その具体的な１例を図１を参考にして大略説明する。【０００５】  前記した図１の図（ａ）・図（ｂ）に示すように、２０世紀における世界人口・国民総生産・エネルギー消費量は爆発的に増大するに至り、図（ｃ）に示すように石油消費量は年間１０億トンを超すようになり、この傾向が続くと石油資源はあと４０数年の中に枯渇すると予想されている。そして、木材需要・農耕地需要、により熱帯雨林が年間１１３０万ha破壊されている。森林、特に熱帯雨林は地球の肺に相当する程、大気中の二酸化炭素を吸収し酸素を供給する。このような森林・熱帯雨林の破壊と併せて、石油等の化石燃料は燃焼時に大量の二酸化炭素を排出する。この結果、図（ｄ）に示すように、大気中の二酸化炭素の濃度は年々増大する傾向を示すに至った。そして、図（ｅ）に示すように地球温暖化の傾向が強まりつつある。この傾向が続くと、図（ｆ）に示すように、海水位が年々高くなり、近未来は臨海都市・地域は水没化する危険性がある。【０００６】  生命にとって絶好の生存環境条件を備えた現在の地球は、太陽からの公転距離、従って、太陽から受ける太陽光の照射��ネルギーの量、地球の大きさ、地球の自転速度、地球の地軸の傾斜、地球の磁力やバリヤ層による宇宙線や紫外線の照射量の調整、大陸や海の大きさ、大気・水・海水、等で構成され、数億年の植物等の活動による酸素の生成・等々によって奇跡的に生み出された。現在の地球環境は上記のような諸条件の微妙なバランスと超長年月をかけた熟成の末に造り出されたものである。しかし、地球環境はバランスが崩れ始めると壊れ易い有限の球体である。有限であるから資源と環境とが限られた超巨大な宇宙線にも例えられる。地球環境は過度な自然破壊さえ無ければ、忍耐強く、少々の打撃にも耐えられる寡黙な包容力がある、ねばり強い一面を備えた存在でもありうる。【０００７】  地球は人間の個々の存在から視れば、圧倒的な巨大さと、うねりと、超長年月をかけた活動とをもつ大自然の１つである。大自然には緩衝能力があり長期にわたって被害を表に出さない。しかしある限界を超えると急に状況が悪化するものがある。それが明らかになった時はすでに手遅れだという傾向が強い。地球環境はある方向へ傾斜し始めたら回復困難な非可逆的な性質をもっている。地球環境の諸問題は今ならまだどうにか取り組みが間に合うかもしれないが、時期を失せぬ中に早急かつ慎重な応急的対策をとらなければ難しくなるものが多い。地球環境は全く奇跡的な比類のない創生であるから、当然のことであるが、これは人類のためだけのものではない。未来に向けて末永く生存すべき膨大な未来の人類と、多くの種類の未来の膨大な生物とが共有すべき唯一の住家であり、生命の根源である。ところが実際には、地球環境がわずか約１世紀の人類の活動が原因して破壊されかけようとしている。この危険な傾向は現在人類の責任において修正・転換され地球環境は養護され尽くされねばならない。そのためには、環境破壊の原因の排出を繰り返した２０・２１世紀の人類の活動の全てが個々の立場に於て検証され、最善の対策が図られべき必要に迫られてきた。【０００８】  前記したように私達は便利さと、快適さと、物資の豊かさと、を手に入れたのと引き換えに毎日実に多くの資源やエネルギーを消費している。例えば、我国では１年間に排出される一般廃棄物は約５千万トン（東京ドームの１３８杯分）を超え、産業廃棄物は約４億トン（同１１０４杯分）を超えている。後者では最終処分場があと１．６年で満杯となり以後は廃棄する場所に困窮するとされている。このような大量の廃棄物の原因になているものは、日常生活や経済活動で使用され捨てられた膨大な製品の集積であり、膨大な製品には実に大量の資源やエネルギーを使って製作されたものである。【０００９】  大量生産、大量消費、大量廃棄によって私達は深刻な廃棄物問題から、さらに発展して資源枯渇問題・環境問題という非可逆な深刻な課題に直面することになっている。以上は先進国に共通する課題であるが、先進国に追いつき・追い越す勢いを増しつつある発展途上国も先進国とほぼ同様の経過をたどるとすれば人口が膨大であるだけに世界全体では現在の数倍の規模になる。資源枯渇問題・地球温暖化問題・廃棄物問題は２１世紀以降の近未来に深刻な影響を及ぼす地球規模の課題である。上記これらの諸課題には絶対的限界がある。畿世��、数億年かけて生成された森林や土壌や地球独特の資源等が今や人間一生程の短い期間に消費されている。また、これらのことが将来、政治的・社会的安定を脅かす原因となってくる可能性が大きい。【００１０】  ２０世紀の人類はその活動の産物として数々の大問題の解決に懸命にならねばならぬ時が来る。懸命になって解決されればそれで良い。なおかつどうすることもできず解決できぬ時にどうするか。２０・２１世紀はこのことに対して痛切に心が痛まざるを得ないのが本当だ。【００１１】  人類は有史以前の大昔の出来事や、数万年・数億年後の未来の事や、宇宙の果てまで研究し次々と明らかにしてゆくことができる唯一の生物だ。地球や人類の未来の課題はこうなるに違いない、と理論的に判っているのであれば、これをできる範囲・程度まで解決しておこうとする努力は放置されるべきでない。技術の未成熟なために現時点では推定に止まることが多い、でも仕方がない。方向性や必要性の明確になった技術開発は年月がかかれば何とか妥当な答えがでるものが多い。やがて世の中の技術のレベルが向上し発展すれば難問が解決される日も来るであろう。現在の地球環境問題にも未来の地球・人類には天体上の諸理由によって起こる危機、正に大危機と呼ばれる試練が待ち受けている。過去複数回到来したものは未来も複数回到来するであろう。例えば氷期の到来の課題然り、小惑星の地球衝突の課題然りである。それらは桁はずれの厳冬や大地震よりさらにレベルが異る大危機である。以上は相当現在に近い近未来〜中未来の切実で大きな課題である。【００１２】  相当先々の中未来〜遠未来のことになるが太陽光度の漸次増強による地球高温化、地球の第２金星化の課題は放置すれば生物や人類の世紀末とも言うべき、全運命を左右する大危機である。しかし、人類はこれらの大危機も、時には技術開発や実用化が間に合わず大打撃を受ける可能性があるか無いか現時点では判明できないがー何とか解決して乗り越え生き延びる可能性は残っていると推定される。それは技術開発が目標を持って開発済みの蓄積技術を土台にして、一歩一歩課題を登るようにより困難な課題の技術を解決し克服し、高度な技術を手中に「蓄積・向上する」創造力を備え、手法・機器を人類が持っているからである。
【先行技術文献】
【特許文献】
【００１３】
【特許文献１】PCT/JP2010/05357
【特許文献２】PCT/JP2012/075667
【特許文献３】PCT/JP2013/076732
【非特許文献】
【００１４】
【非特許文献１】世界統計白書（木本書店）、世界国勢図解（矢野記念会）
【発明の概要】
【発明が解決しようとする課題】
【００１５】現在は前後約５０年の中心で歴史的に重要な岐路にある。図１・図２のデータ（信頼できる統計白書に基く）が裏付けるように世界人口激減・資源・エネルギー・環境・食料の必需材は特異な曲り角にある。既に限界も多い。資源特に化石資源は地球独特の非常に重要な材料資源であるがエネルギーとしても約９０％消費されている。石油・ウラン・天然ガス・メタンは約４０〜１００年、石炭は１９０年で枯渇する。再生可能エネルギーは主力に程遠い。エネルギーは展望しにくい状況にある。他方世界人口は９０〜１００億人に達し、近代化著しく消費が激しくなる。日常品（資源）・電気・環境は毎日慣れると当然の事と錯覚して大切にする心が薄れ勝ちだが小さい事の広域・長年の積み重ねが大きくなり必需材の危機となる。生存に不可欠な必需材は一旦進行すると復帰できない非可逆の特質がある。
【課題を解決するための手段】
【００１６】  ２０世紀を中心とする約１５０年の現在は世界人口が約７倍、エネルギー消費が約８０倍、工業生産が約１００倍に激増した。必需材はこの激増で限界近くになった。必需材の各々が次々に限界を超えれば苦境になる。現在は厳密に曲がり角にある。解決手段は（１）徹底的省エネ、資源・空間の有効活用、収納の合理性追求、勉学事務能率の合理化姿勢、全室暖房から部分極小暖房への革新、石油・原発発電から再生可能エネルギー発電への革新・布石、根源となる住革新、資源枯渇時代への対応・布石、他。（２）強震への対策として、重量物品の集中的・直接的な床下の基礎材支持の脚物装置の開発、基礎材への骨格材下部の埋込み強連結、（３）下部〜上部の側壁ブロックの両側縁を嵌合圧接するべく望ましくは両側面に深溝を備えた鉄鋼製の骨格材と該骨格材の深溝に圧接・強連結して、垂直性を維持する垂直手段の開発、上部ほど軽量な軽量手段開発、等を具備し、限界を超えて苦境に落ち入る事前に持続的安定の遠目標の１手段を構成する。
【発明の効果】
【００１７】（イ）〈必需体〉  （実施例１の効果）  人類が生存を維持するためには最低限度必要とされる不可欠のものがある。また、現在の社会に於いて多数の人々が社会の一員として生存するためには社会構造が円滑に機能していくように必要不可欠のものが維持されなければならない。例えば、大昔の時代に於いては食料と人体の保温に必要な着衣物であり、居住する居住材であり、何よりも食料であった。現在の社会で生存を維持するためには構築されている社会構造が円滑に機能するように維持するための社会維持材必要とされる。現在の社会は複雑に構成されている。【００１８】  従ってそれを維持していくためには衣・食・住以外にもいくつかの必要条件が必要とされる。この必要条件を併せて必要欠くべからざるものを必需材と呼べば、現在の必需材は一体何であろうか。生存維持には衣・食・住と資源・エネルギー・環境・適正人口が必要ではなかろうか。現在は社会が発展し複雑になったがために衣・食・住以外にも資源・エネルギー・環境・人口が適正に維持されねばならない。それらが維持されねば破局や危機が切迫されざるを得ないのである。ここに於いて現在の状況を率直に反省してみると、資源・エネルギー・環境・食料・人口等は諸点ですでに適正とは言えない徴候が現れつつある状況に至っている。これは大きな問題である。【００１９】  そこで、このように適正とは言えない状況に至っている現在の実態を順に説明する。まず資源・エネルギーは石油・天然ガス・ウラン・メタンが各々約４２年・６７年・８５年・１００年で枯渇する。石炭でさえ約１９２年で枯渇するとされている。これらの資源は以降地球上から姿を消してしまうから既に限界を越えんとする状況にある。原子力発電は大地震に於ける大きな危険性が露呈されたから火力発電への比重が増大し、化石資源の枯渇が早まる傾向になる。化石資源は現在・未来も不可欠な非常に重要な材料資源であるから温存されるべきであるが、既に限界を超えつつある。【００２０】  次に、環境は地球が有限の球体で、例えば地球温暖化は化石資源の燃焼過多が主な原因であるから既に限界に近い状況にある。２０世紀末頃の約１０年間に於いて人類は、化石資源を燃焼することで毎年約６３億トンのCO2を排出してきた。樹木・海水に約３０億トン吸収されたとしても、大気中に毎年約３３億トンが増加していることになる。この増加傾向は上記の火力発電への比重増大で増す一方である。温暖化の悪影響は海水位の上昇・海抜０ｍ地域の沈没、病原菌や害虫の棲息地域の拡大、人間・家畜・農作物への被害、生態系の変化のおそれ、干ばつ・洪水等の異常気象、等々社会環境・自然環境等の全般に深刻な影響がでる。【００２１】  さらに、食料は農産物が既に限界に近い状況に至っている。農業は農耕に必要な農業機械の発達、化学肥料・農薬等の生産・消費による農作物量が略頂点に近いところに達している。農作物は異常気象・干ばつがあると即座に価格高騰等の状況に至り、農作市場に大きな影響が出る。このことは農産物の生産が余力少く、既に限界に近いことを裏付ける事実である。新しく実用化が進んでいる野菜等の照明器具による工場生産は急激な勢いで拡充するとの評価もあった。【００２２】  しかし相当の電力���費を必要とするから最近の大地震・大津波に伴う原子力発電の危険性から、これも限界があることが判ってきた。」現在では電力の使用も限界があることになりつつある。また家畜の育成は飼料が穀物等の農産物だから、これも上記のように限界がある。前記のように食料は飢餓人口が２００８年で約１０．２億人に膨らんでおり、限界を超えている。これは現在の世界人口の約1/6に相当する。食料の不足程切実なものはないから何とか犠牲を増大させない対策が必要とされる。しかし、食料が不足する未開発地域に於いても他方では人口増加が相当の勢いで続いているとされる。現在は難しい問題に直面している。【００２３】  必需材は資源・エネルギー・環境・食料・適正人口が皆相互に非常に深い関連性を有する。しかし、これらの必需材は上記のように現在既に限界に近い状況にある。これらは各時代を越えて重要な要素を有し、近未来以降も同様である。「必需材」はその各々が更に細分化され（図４）、必需材が制御されるべく推計される。他方「制御局」は、世界―国―地方が系統的に細分化され、その各制御部と制御局とが連携され（図４）、一定の権限と責任をもって対処を図る。管理局・管理部は貴重な必需材が侵食され消費されるに任せるのではなく、上記のように細分化された必需材の要因が制御推計され連携管理される。【００２４】  世界人口は２０５０年には約９２億人に増大すると推計されているが、既に危険水域に於ける２２億人〜３０億人の増加だからその負担は数倍増の痛みとなる。世界人口は必需材の各々に直接・間接的に大きな影響を及ぼす要因の一つである。世界人口は今までのように放置型でいくより他にないだろうか。仮に世界人口は制御型だとしても超多数人の急ブレーキは効かないだろう。従って、世界人口は１０億人内外の増加は止むを得ないだろうと推定される。負担数倍増の危険水域に於いて12億人〜２２億人程が少ないだけでも効果は大きい。計画的・組織的に対処すれば期間の遅れは止むを得ぬとしても少しでも抑制は重要と推定される。【００２５】  必需材はすでに限界に達している徴候が表れている。多くの打撃・危機・破局が起こる事前に最適の方向に方向選択する。予期せぬ不特定の犠牲がなるべく最小限になるよう人道的な適正人口の社会を構成できないか検討する。理想としては、枯渇目前の必需材を将来に可能な限り計画的に備蓄し得るようにできないだろうか。必需材は全て近未来以降と分かち合うべき実に大切な至宝である。決して現在のためだけのものではない。しかし現在、必需材はどれもが限界に近い徴候状態ですでに限界の近くまで消費されている。【００２６】  特に膨張してこれも限界に近い状態にある世界人口は増大傾向が止まらない傾向とを抱えている。近未来以降の世界は一体如何にすればこれに対処できるだろうか。このことは極めて難しい問題である。人道的な基本問題はその基本に徹することで解決に向かう。現在人口増加がマイナス傾向の国は世界中で２４カ国で多くは皆増加傾向の国である。世界は現在全部で約１９３カ国あるから約１６６カ国現状維持を含む増加傾向の国である。【００２７】  この実例を参考にすることは、世界人口の増大傾向を示す一つの手段かと考えられる。放置されれば非人道的な犠���が近未来以降に起こりかねない、原因は現在から人道的・法律的・正義的・平和的・段階的に図る手段はないだろうか。要因はどこにあるか。人類が持続的に生存するために不可欠とされる必需材はどれも限界近くに達している。止むに止まれぬまでに追いつめられた世界人口急カーブは如何にすれば解決に向かうだろうか。【００２８】  極めて貴重な諸資源はいずれも枯渇に近い状態になれば弱者への無理が生じる。現在各所で出始めた諸種の徴候は、近未来以降への天の啓示かとも解釈される。問題は現在以降の対処の仕方である。必需材には絶対的な限界がある。世界人口は増え続ける。現在は上記諸条件の相乗作用と組織的システム・抑制とでも無理であろうか。これは決して楽観はできないが一分の望みはないであろうか。近未来以降の犠牲・破綻は何とかして小さくされねばならない。回避は無理としても。【００２９】  現在はまだ多少とも余裕が残っているが決して楽観できない状況にある。この状況を重視し、現在はゆるやかで、人道的・啓発的・計画的に対処できないか。現在は友好的と推察される諸条件を組み合わせて難しい難問の打開を図るべきだ。近未来以降の諸問題は現在の状況や結果が反映されて起こる。現在は近未来に対して何ができるだろうか。世界人口は上記のように全必需材に影響する大きな要因の一つであり、近未来以降の運命は現在の責任であるとすれば、現在に残された道は何であろうか。必需材が仮に適正に維持されれば地球温暖化の傾向に対しても有効であると推定される。【００３０】  （２）＜脚物体＞（実施例２の効果）  本発明の脚物体は請求項１〜６のように構成されているので、下記の効果がある。（本欄では発明の効果に重大な影響を及ぼす現在の課題・他諸種の分析も記載した。）ａ，住宅・施設に於ける在来宅・新築宅では床下の空間が全居室・広間にわたって物品を収納する水平収納が構成されれば、その収納容積は極めて大きいものがある。従来の垂直収納（木棚・食器棚・家具・収納庫・押入れ）では貴重な居住空間がそれらの分だけ費されていた。この垂直収納に収められていた大部分の物品が水平収納（床下収納）に収められる可能性は充分にある。【００３１】この水平収納の難点は物品の管理と入れ替えの難易度である。しかしCDによる写真や管理表は物品の探索が目前の平面状であり、住宅内全域よりも圧倒的に狭いから、より各箱・各層が現状の垂直収納より整然と的確に整理される。また物品入替は脚物箱のカバーを弾性状のロール棒等で水平方向に移動することで的確に省力的に可能である。床下の収納容積は建物を垂直方向に約７０cm高く建設することで確保しうる。これによって建物の敷地面積に略等しい（即ち略全室の容積）空間が活用できる。【００３２】  しかも脚物箱は多数が同型・同大であるから収納の入替や管理が整然と行われ、CDや管理表による管理も極めて的確に行える。上記垂直収納が床下の水平収納に置変ると仮定すれば垂直収納が占めていた大きな容積が貴重な日常活動用の多用途の空間として活用される。これは居住空間・居住土地の有効活用としても重要な意義がある。特に都会では居住土地は極めて重要で高価である。【００３３】  建物の建設高さを数１０cm上方に伸ばすことは強度的にも問題なく土��の高価なのに比較すれば上方の空間の活用は強度が許す限り無料である。従来、単独の床下収納は市販されているが、１個〜数個のみ取付けるのはその他の垂直方向の広大な全室分に相当する床下の空間が無為に活用されないままであるから極めて無駄が大きかった。１個〜数個の床下収納庫を取付けるだけの床下高さが現にある住宅では、残りの床下空間は余りにも貴重な住空間が無駄な空費に相当するから何とか活用されるべきである。【００３４】  本件では脚物箱は鉄板等によって製造されることも可能であるが、その分コストアップになる。重量の大きい書籍等の物品でも強度充分に収納しうる。そこで脚物箱は強段ボール製であっても、その底が強度の大きい合版製の箱台板に載せることもできる。しかもこの箱台板は１階床下の基礎凸起の上に載せれば全重量物品を極めて安定的に支持しうる。脚物箱の内部は、断熱箱（例えば強段ボール製）で断熱しうる。脚物箱の開口窓は強度を備えたカバーによって被覆しうる。カバーは通常の床板に代わりうる強度であれば多数枚あっても床上の居住に差し支えない。外観や物品の入替えの便宜のためには、例えば薄敷材等を併用できる。物品の多くは客用や四季物や貯蔵用が多い。非常時のために貯蔵することも大切である。相当に軽量であるが大型で湿気を好まない寝具等の軽量物品の収納は２階の床下収納庫を活用する。複数の標準大の強段ボール製の脚物箱の代わりに、例えば木板製の大型箱２階の床下収納庫に配置すれば季節布団や客布団等の試用期間が限られる軽量物を収容できる。（図８）【００３５】  ｂ、前記の垂直収納で問題があるのは大地震への備えである。垂直収納（本箱・食器棚・家具・収納庫・押入れ）では、大地震時に於いて物品の落下・破壊・人体への危険が大きいことである。垂直収納では人体が居住する居住空間に於いて、略人体の身長よりも高い高さにまで各物品が垂直方向に羅列される。従って、大地震時に於いては、それらの高さから相当の勢いで落下し、大地震の程度によっては人体に向かって飛んでくるとされる。【００３６】  特に、家具等に納められる客用食器は相当大の石の固まりに等しいものが人体に飛んでくるから、危険性は極めて大きい。書籍等相当の角部がある物品や破壊しやすい食器・機器類も相当の重量のものが飛んでくるとすれば危険性は大きい。さらに本箱・家具等は人体の身長よりも高く底面積が小さいから大地震時には店頭する可能性が大きい。これらの近くには居住者は近付かないことが大切だが、大地震等の際には歩行しにくい。しかも一刻も早く屋外に脱出する必要がある。上半身を低くして急いで行動する必要があるが、平常心を失い勝ちである。非常時は危険性が大きい。【００３７】  万一これら本箱・家具の下敷きになるか転倒は勢いがあるので、極めて危険である。本箱・家具が住宅の壁に転倒防止用として連結されることは、大地震時には家具の倒壊をはやめる。さらに押入は、通常居室に隣接され、この居室は寝室代わりとしてよく使用する。押入は単に寝具のみでなく日常品の種々雑多の物品が収納されている。このような雑多収納は余り警戒しないし、収納物品の種類を忘れるので危険である。多数個の同大の脚物箱とその収容物品の徹底した分類管理装置が重要となる原因はここにある。しかも押入は紙と木でできた襖で開閉される。寝室代わりで布団には幼少の子供を含む家族が寝起きする。大地震には押入れから何が落ちてくるか判らない。寝る姿勢は畳の上に真横の極めて低い姿勢だから人体の何処に落ちてくるか判らない。【００３８】  このように垂直収納自体が危険である。垂直収納は大地震時には異常な力が加わるから大地震対策として見直すべきだ。地震多発の国は多い。これに比して床下収納は床下の低い位置に設けられ、重量物品は基礎凸起で全重量が支持される。住人の生活空間と完全に区画されている。収容穴は丈夫なカバーで被覆されるので、脚物箱が破壊されない限り安全であると推定される。要は床下収納全体の設計にミスがなければ垂直収納よりも住人自身にとっても安全であり、家屋自体にとっても衝撃力が加わっても倒壊危険は少ない。【００３９】  C,  従来の座居机は例えば通常の電気コタツの場合、相当の電力を消費する。しかし、脚物体では座居机の下方の空間は脚物箱で複数個に略独立的に区画されている。このことはPCT/JP2012/75667と同様の効果がある。空間が徹底的に区画される。脚足部を収容するよう縦方向に深く形成されても冷気・温気の対流が極めて小さい。特に足部は簡易カイロや小電力の足温器によって温めうるので、電力消費は小さくできる。脚部は毛布等で巻けば極寒冷の日以外はコタツのヒーターは使用しなくても済む。極寒や多数人使用の場合は、カバーで被覆すれば通常の電気コタツとしても一時的に使用できる。電気コタツ・ヒーター付き座居机は暖かいのは脚足部のみで腰周辺は寒冷であるという問題もある。【００４０】  従来は極寒期には電気コタツ等と共にエアコン等全室暖房を併用せざるを得ない。脚物体は腰温板併用して、腰掛机と同様の姿勢をとりうる。従って、長時間の事務や生徒・学生の学習用にも腰掛机に代って使用できる。従来、広間や子供部屋は全室暖房が常用されていた住宅でもこれに代わりうる効果がある。従って、電力消費を相当節減できる。このことは単なる電気料金の問題以上に原発の不使用・化石燃料の枯渇、再生可能エネルギー採用という新時代への布石となる基盤を構成できる。現在以降の根本的な時代の要請に対応できる効果がある。資源・エネルギーは枯渇を目前にしている。多数の住宅の消費は無視できぬ大きな問題になる。徹底省エネ等の「多目的装置」（請求項１）は住宅の構造面から検討される必要がある。エネルギー・資源の枯渇を目前にして現在、早急に新時代への対応・布石が図られる必要がある。これは大地震対策と同様、非常に難しい問題であるが避けて通れない道である。（３）大地震の危険性と安全性確保の困難さ【００４１】  一般に古来の昔から現在に至るまで、「怖くて恐ろしいもの」は「地震・雷・火事・おやじ」と言われてきた。「おやじ」は大戦の関係で全く記憶に無いが、一般的な書物の記載に依れば子供の頃から「爆発的に大声でどなりつけておこる」とされる。怖いのは教訓的な面もあるが、雷の音に似ていることから生まれてきた「ことわざ」であるとされている。雷は地上に落ちて非常に危険であるから恐れられていることは、生命の危険もあるからである。「地震も火事も生命の危険性があり、実質的な危険性・程度・範囲は非常��大きい。【００４２】  大地震によって家屋が倒壊することは非常に危険なことである。しかし、家屋倒壊の前に、本棚・食器棚等の家具が倒れること、収納物が落下・破壊や人体の上半部に飛んでくること、等の危険も極めて大きいのである。大地震による危険を検討する上で、これらの家具と収納物とに対して如何に対処するかが、徹底的に検討される必要がある。家具と収納物とは日常生活では重量物品を含む財産の一部である。しかし一刻を争う大地震では屋外へ逃げることを遅らせて生命に係る。それだけでなく壁や天井の損壊を早めて異常な衝撃力が加わるから家具の倒壊を早める根源の一つともなる。何とかならないだろうか。【００４３】  大地震は家屋等の人が住む建築物に重大な被害が出る。大地震によって家具は転倒し、収納物は落ちて壊れる。大地震の程度によっては人は家具の下敷きになって怪我をするか、逃げられず生命の危険に露される。収納でも重い物、角のある物、例えば食器類」・書籍類が落下するか、飛んでくれば生命に係る。【００４４】  大地震では歩行が危険だから床面に身を低くして屋外へ出ようとする。そこへ家具が転倒するか、重い収納物は石の固りの如く人体の上半部に当たれば非常に危険である。本棚や食器棚は縦に細長い垂直収納であり、身長より高い棚まで重量物・角のある重量物が一様並べられている。これらは平常時は皆、無くてはならぬ重要物である。しかし、大地震に際しては身を低くした人体に対して「正に飛んでくる」ような危険物が多く並べられている。平常時は重要物でも一転して人を殺傷する凶器の如く変化する。皮肉にも住人自身の責任であり人災の一種である。人災は年月の経過がある程度必要としても努めれば何とか防御が可能なものもある。大地震等の天災は回避できないが、人災は防ぎうる。【００４５】  そこで家具は大地震でも転倒しないように「転倒防止具」が市販されている。（a）家具は側壁に結合するか、天井面との間に「転倒防止具」を介在する。（b）家具が前方向に転倒しにくいよう床面との間に介在して予め、やや後へ傾斜しておく。（a）これらでは収納物品は依然として落下あるいは飛んでくる。家具のフタを強固にして飛び出さないよう工夫した家具もある。しかし、家具は相当大きな重量物を収納したまま振れるので、その勢いにより側壁や天井に無理な力が加わる。従ってそれらを破壊するか、または家屋全体の倒壊を早める程の事故になる。（b）はやはり同様となるか、または前傾への境界を越えて大地震では勢いよく前倒する。【００４６】  （c）近年では居室や広間の片隅に特別に専用の「収納庫」が建築時に付設されている。「収納庫」は重い物品・軽い物品等々全て収納し、フタは相当の強度を備えている。住人はこれを重宝され便利ではある。大地震時にはフタが開いていない限り、人体を損傷することも少ないだろう。「収納庫」は床下と併用型とすべきである。【００４７】  軽小物は適すとしても問題は重量の大きい物品である。垂直方向の垂直収納は基礎材から測れば、まして２階の場合は相当の高さとなるものもある。高さが高い程大地震の影響が大きくなり、危険である。大地震等相当の勢いがつくものでは物品の重量は、実に大きく影響する可能性がある。和式建築では新築は強いが年数が経過する程大地震に弱い。事実倒壊する家屋は和式の年数の経った家屋である。家屋は倒壊すれば下記のように火災の危険性がある。火災となれば類焼する。本件の実施例では屋根及び側壁では表面処理済の薄鉄板で保護され、ある程度類焼を免れる。【００４８】  従って収納物品に関することはは小事のようでも、新築時から徹底的に区分し管理を的確に検討しておくべきである。和式家屋は建築材料の寿命の許す限り使用される事が経済面から宿命とされる。「倒壊」の要因は許される限り、新旧に係わらず検討される必要性はそこにある。「収納」のあり方と「省エネ」と「住革新」によって新築の構造が革新を迫られる。新築は、「数１０年の使用」と「大地震対策」と「資源枯渇時代」と「エネルギー革新」と「新時代への革新への布石」等の総合課題を考察して開発される必要性がある。新住居は単に数１０年の寿命のみでなく「多目的装置」課題への命運の鍵となる。【００４９】  大地震に倒壊しない和式家屋は有り得ないとしても「極力倒壊しにくい和式家屋」の開発は時代的にも必要不可欠である。森林は全国土の略７割を占める。経済性と建築材料の選択と居住性から、木材建築は近未来以降も続くだろう。大地震は数１０〜数１００年に一度繰り返し起こる。倒壊しにくい新建築の和式は有り得ないか。【００５０】  倒壊した建築用材（木材）は、折り重なってうず高く積り、木材は火災に極めて弱い。地震に火事は付物として恐れられている原因がそこにあり、風の有無で類焼も起こる。一生働いて貯めた財産も焼失すれば灰となってしまう。人命も保証され難い。古来から恐れられている「大地震・火事」の恐ろしさは「他の２者」の怖さとは到底比較して並べることが不可能な程に異質の恐ろしさがある。やや皮肉的で教訓的なことわざの趣旨はここにある。【００５１】  多数の家族は超多数の人が住む。建築は人の命運も家財の命運も決めてしまう。それでは日本古来の和式家屋は到底あきらめざるを得ないか、本件開発は、上記のことを検討した上で一戸建てや和式を選択される住人と地域と経済性と各国の国情とを考慮して、開発した。実用化の前提は繰返試験データ、入念設計、火元の徹底管理である。【００５２】  古来の住宅はほとんどが、一戸建住宅だった。現在都会では徐々にマンションが建つ。国内は一戸建住宅とマンションの割合は、正確なデータも統計もないが多分（数万以上：１）の比率と仮定すれば、世界全体では概算だが（数１０万以上：１）の割合ではなかろうか。大体の想像に過ぎない。しかし一戸建住宅の数は圧倒的に多いであろうと推定される。その根拠は何か。住人の経済的理由・建設技術・住人の都合・地域性・マンションの土地広さの不足・他の事情があるだろう。一戸建への依存は実に大きいものがある。従って一戸建の問題点は何かを検討する必要がある。【００５３】  一戸建の問題点は｛耐震性と耐火災性と耐候性と標準化性と集合住宅性と適正価格性と長寿命性と｝等への不足、あるいは欠如が根本的に無いだろうか。これらを総合的に考察すれば既に現状の一戸建住宅の延長上には、解決可能性を図ることは実質的に難しいと、解さざるを得ない。それでは人類の近未来以降にも不可欠な住宅が「長期的に本来あるべき構成の基本的な姿及び正しい解決」とは果たして何か。【００５４】  それは従来及び現在の概念にとらわれず、現在の課題を徹底的に検討して整理し、核心を把握して現在の特長を極力活かす「住革新」ではないだろうか。しかし具体的な構成となるとそれは非常に難しい問題である。短期間に正解を探究することは至難である。人の住宅である以上現実離れは実用化が困難だ。先ず過去〜現在の問題点を徹底的に検証されねばならない。それだけではなくて新しい構成とは何か。【００５５】  先ず耐震性の問題は強震が繰り返し到来する以上、また南海トラフが切迫する以上、これは避けて通ることは難しい問題である。大地震にも数種類があるとされる。「形あるものは壊れる」建設費の問題も大きい。鉄筋コンクリート建築の採用も難しいだろう。各種の問題点は如何にすれば費用の枠内で解決に向かうか。課題の徹底分析も早晩いずれ誰かがしなければ解決や向上につながらない。一旦開発すれば後日の改良も可能である。【００５６】  「住革新」の一端は本文及び各請求項に記載の通りが１例ではある。しかし人の住む住宅である以上、理論的構成のみでは難点が発見されないだろう。従って品質管理の前提通りQCの試作・試験・データ分析・改良設計の繰返しの定石が不可欠だろう。非常に煩しい定石だが、正しい定型が開発されればそれを足がかりにできる。本件の開発はたまたま期間的に非常に切迫し難点も多かった。【００５７】（４）「耐震性」の追求と「環境」保全による将来の安全性  大地震による破壊力と生命の安全の確保及び将来の安全について。  家屋は人が住み続けていくために是非必要で大切なものの一つである。この家屋を破壊してしまうものに「強震等の大地震」がある。この家屋や建築物の耐震性を高めることは、非常に大切なことであり、追求し続けることは不可欠である。【００５８】  １階・２階の床ブロック・屋根ブロックとは、側壁ブロックと共に、骨格材に強連結材によって強連結されて、耐震体（耐震装置）の中核を成すものである。また１階・２階の床ブロック‖は合理的収納と、徹底的省エネと資源・住宅間の有効活用と、能率事務と、等本件開発の本来の目標の正しい運用の各々の中核を成すものである。これらの本来の目標は、相互に深い関連性を備えている。もしでき得ることであれば何とか因習的な従来の住居の代りに住革新を図ることによって近未来以降の新時代の要請に対応できないかと考えて総合的な技術開発に努めた。【００５９】  地球のプレート移動から強震等の大地震は繰返し到来するとされている。数10年後に高率で起こるとされている南海トラフの大地震の脅威は深刻である。地域によって大きな差があるとしても、その度に甚大な被害が出ることは運命的とされている。この運命に人間社会は到底立ち向かうことは難しいとされている。その度に建築物はほとんど全てが将棋倒しのように、建築物という建築物は倒壊し尽され、残っているものを見出すのが難しい程だった。その映像は記憶に残り自然の脅威が如何に強大で、人間の力が如何に弱小かということのみで、強烈に印象として残った。これらの印象や報道に依る事実関係を総合すると、大地震でも残る建築物は鉄筋コンクリート建のみかもしれない。【００６０】  しかし鉄筋コンクリート���ての建築物は、建築費の関係で到底望み得ない人々が多い。誰でも「無い袖は振れない」のである。「倒壊しない鉄筋建」ためにのみ全てを犠牲にして生活に困るようでは家族を養育できなくなる。一生に一度あるかないかの大地震にのみ全てを投入することは、適切でないとも考えられる。【００６１】  そのような大地震に際しては、「早く安全に屋外に脱出すること」が最も大切である。「身の安全・即ち生命」こそ最も大切なものである。そのためには屋内の家具の配置、落下する建築用材のチェック、何より人体に飛んでくる「家具及び収納物品の配置」こそ生命の安全にとって重要ではないだろうか。また大地震だけではない。将来の「人類の生命の維持に必要な必需材の確保」と「地球環境の健全性の確保」こそ重要になる。必需材も地球環境も将来の人類の生存にとって必要不可欠なものである。
【図面の簡単な説明】
【００６２】
【図１】図１は現在に於ける必需材の特異状況を示す図である。
【図２ａ】図２ａは石油資源の消費と氷床面積の変化を示す図である。
【図２ｂ】図２ｂは石油資源の消費と氷床面積の変化を示す図である。
【図３】図３は現在の必需材の徴候と限界を示す図である。
【図４】図４は本発明必需材の１例を示す図である。（実施例1）
【図５】図５は本発明脚物体の１実施例を示す図である。（実施例2）
【図６】図６は本発明耐震体の１実施例を示す図である。（実施例3）
【図７】図７は本発明耐震体の収納管理を示す図である。（実施例3）
【図８】図８は本発明耐震体の他の実施例を示す図である。（実施例3）
【図９】図９は本発明耐震体の組立の１例を示す図である。（実施例3）
【図１０】図１０は本発明耐震体の他の1例を示す図である。（実施例3）
【発明を実施するための形態】
【００６３】  人類の生存の維持に不可欠な必需材（資源・エネルギー・環境特に経済空間・居住土地・非常用水や食料の備蓄・地震対策・他）の改善を図る前記養護体（耐震体）の一例であって、該必需材がやむを得ず次々に限界を越えて波及的な苦境（破綻・危機・犠牲・他）に陥る事前にその回避を図って、使用者が居住する住宅・施設の居住宅の下方床下空間に人体の脚足部や大量の物品を収容可能に多数の脚物箱を配置し、略全室に相当の広さに使用管理の適正化手段を備える。
【００６４】  長年従来の垂直収納（本棚・食器棚・収納庫・押入れ）に於いて困窮していた広範囲の総合課題（居住空間・居住土地の無駄、室内収納不都合、床下空間の無駄、全室暖房の無駄、エネルギー・資源の枯渇、大地震時の本棚・家具の転倒・物品の落下・破壊、人体・生命への危機）等を総合的に解決するという目的を住革新や水平収納への切換（床下空間の全室的活用）や効果的住空間の活用切換えること。並びに現在近未来以降に於ける新築の耐震化装置を開発し全体的に標準化し、大地震への備えを図ることによって、該必需材の適正化・養護・維持を図ることを目標として上記目的の実現への１手段を開発しようとしたものである。さらに望ましくは現住宅の広間・居室に於ける床下空間を活用し、略独立的な収容穴を適所に形成する適所手段を開発すると共に、脚物箱を配置する配置手段を開発して、上記目的の１端の達成と節電・再生可能エネルギー時代への対応を図らんとしたものである。
【実施例１】
【００６５】  ＜必需体＞    図３（a）は統計白書のデータに基く現在の特異性を示す図、（b）は社会の近代化・複雑化と必需材の限界等の推測を示す図、図４は必需制御体の組織の1例を示す図、である。またGOOは養護体（必需体）、G１０は必需制御体、G11は必需材、G12は資源、G13はエネルギー、G14は環境、G１５は食料、G１６は適正人口、G１７は必需書、G１８は入力書、G１９は出力書、G２０は人口制御体、G２１は世界制御局、G２２は制御部、G２３は対策会議、G３０は表示体、G３１は情報材機、G３２はインターネット、G３３は情報紙、G４０は広域機構、G４１は国際機構、G４２は国内機構、G５０は電子計算機、G51は電算記号、G６０実用体、G６１は中央材、G６３は地方材、G64は派生材である。【００６６】  必需体GOOは必需材G１１のいずれもが既に限界の徴候が現れつつあるので、次々に限界を越えて苦境（破綻・危機・犠牲・他）に陥る事前に新技術（電子計算機・インターネット・広域機構・他）を活用し組合せて制御目標の鋭意遂行に努め、持続的安定の基盤養護の一手段を図るものである。必需体はGOOは既に限界の徴候が現れつつある状況下の必需材を中心とする各時代の今後の推測を分析し、現在の対応の一手段を図るために1例は必需制御体G１０を構成して近未来以降に続くべき一方策とした。現在は必需材G１１が既に限界の「徴候」が現れつたある。【００６７】  現在は必需材G１１の特異性から従来の「成行型」「放置型」で難なく過ぎた時代は去った。このまま現在の状況が放置されれば必需材G１１は波及的に次々に限界を越える。必需材G１１は立直り難い損害を受けた上に全体的には苦境（破綻・危機・犠牲・等）に陥る。現在は誠に難しいが近未来以降のために少なくとも「制御型」「歴史型」が求められる時代へ突入した。何とか現在は近未来以降に大きな禍根を残さぬ対策が探索されないだろうか。必需材G１１は全て拡大していく中で他方では時代の「近代化」「複雑化」が進むのでこれらを考慮に入れ難しい対応が必要とされる。【００６８】  その手段１は科学的な根拠が必要であるから電子計算機G５０に諸種の要因に連携したデータを入力して各必需材G11が互いに影響し合っている要因が分析されつつ制御目標が出力される。科学的な根拠と科学的な処理があって初めて万人は納得して更新が必要と認める。手段２は制御目標が鋭意遂行されるべく世界制御局G２１の機能が細分化・分担された制御部G22との連携による広域機構G４０が構成される。必需材G１１はどれも皆人間生活に深く係わり無くてはならぬものである。従って広域社会との連携が必要となってくる。例えば〔実施例２〕の列挙体は広域社会で使用されている必需材G１１は社会を調査するものである。【００６９】  この広域社会に広く訴える力は（世界）統計白書に基づいた科学的根拠と、上記諸要因を入力した最新の電子計算機で制御推計して出力された制御目標と、必需材G１１の全体の責任や権限が付与された広域制御局G２１の方針と、広域の全責任者が集い構成された対策会議G２３に於いて入念に審議された結果、決議された権威ある議決と、例えば〔世界一国一県一地方〕の広域機構に所属する各制御部G２２と、である。【００７０】  またこの広域機構G４０は人口制御体G２０の機構が活用されないか検討���る。さらに手段３は、議決要旨等の重要事項は広域に影響を及す表示体G３０に表示する。特にインターネットG３２は世界中の双方向の通信網であるから必需体G００の支援機能として有効である。必需体G００は長期に繰返し表示されて次第に改善され向上されて目標の必需制御体G１０となる。
【実施例２】
【００７１】＜脚物体＞    （前記代表材の１例）  図５は脚物体の一実施例を示す図、図１０は脚物箱の1例を示す図、図６は室内全体の床下に脚物箱を多数個配置した図、図７は脚物箱に収納した物品の管理の一実施例を示す図である。またM００は、脚物体（耐震体）、M１０は脚物箱、M１１は緑片、M１２は収容穴、M１３は居住床、M１４は横柱、M１５はカバー、M１６は断熱箱、M２０は座居机、M２１は表装板、M２２は机支脚、M２３はヒーター、M２４布団、M２５は正方材、M２６は長方材、M３０は座椅子、M４０は管理材、M４１はCD、M４２は管理表、M４３は品名欄、M４４は番号欄、M４５は経過欄、、M４６は識別記号、M５０は居室、、M５１は導敷材、M５２は確認具、M５３は足温器、M５４は腰温板、である。脚【００７２】  物体M１０は座居机M２０の下方の床板M１３に形成された収容穴M１２に脚物箱M１０が1個の座居机M２０に対して複数個が配置される。即ち、脚物箱M１０は座居机M２０の下方床下の容積の数分の１の略直方体状に形成される。脚物箱M１０は比較的に○い物品（例えば書籍類）を収容し大地震時でも耐えられるよう充分ま強度の強段ボールによって形成され、その箱底は箱台板の上に載置される。さらに強度が必要とされる場合は鉄板等を打抜・曲げ・スポット溶接して製造される。外箱の内部に断熱箱として収容される。脚物箱M１０は収容穴M１２の開口縁に係合して配置されるように緑片M１１が形成される。縁片M１１は物品の重量を支え得るよう補強片がスポット溶接されてもよい。または縁片M１１の折曲部に補強打込みが構成されてもよい。脚物箱M１０はその内部に断熱性の強段ボール等で形成された断熱箱M１６が収容される。脚物箱M１０はその開口窓に被覆されて通常の広間や居室の床板M１３としても充分に耐える強度のカバーM１５を備えて形成される。脚物箱M１０はその開口窓がカバーM１５で被覆された状態では座居机M２０は例えば通常の電気コタツとしても使用可能である。脚物箱M１０はその内部に物品が収納された状態では物品を保護するカバーM１５は重要な役目を有する。脚物箱M１０は正方形や長方形の座居机M２０の双方に共通的に適用しうるような、大きさの直方体に形成されることが望ましい。床下空間は建物の全面積の床下が有効活用されるよう各室の床板の下方に全室の略全体に物品収納庫を兼ねるよう多数個の脚物箱M１０が配置される。（図６）これらの物品の管理はCDM４１や管理表M４２によって整然と管理される。各々の居室M５０は多数板のカバーM１５の上に薄敷材M５１が敷かれて物品管理を容易にする。
【実施例３】
【００７３】＜耐震装置（耐震体）＞  耐震ブロック（耐震平箱）は耐震装置（耐震体）T００の中核を成すものである。図８（a）は耐震装置（耐震体）の１実施例を示す斜視図、図８(b)は同上装置を示す縦断面図、図９は耐震装置（耐震体）の組立斜視図、図１０は耐震装置（耐震体）の要部である、各階の床ブロックの実施例を示す断面図である。またT００は耐震装置（耐震体）、T０１は必需材、T０２は垂直手段、T０３は原型手段、T１０は耐震ブロック、T１１は床ブロック、T１２は屋根ブロック、T１３は側壁ブロック、T１４は基礎材、T１５は基礎凸起、T１６は遮断材、T１７は遮断箱、T１８は排気扇、T２０は骨格材、T２１は基礎材、T２２は埋込孔、T２３は深溝、T２４は翼片、T２５は傾斜内面、T２６は強連結材、T３０は床ブロック、T３１は横柱、T３２は縦柱、T３３は厚板（合版）、T４０は脚物装置、T４１は脚物箱、T４２居住床、T４３収容穴、T４４はカバー、T４５は配置符号、T４６は箱台板、T４９は軽物箱、T４８は調整板（仕切板）、T５０は床構成、T５１は周縁枠、T５２は穴片、T５３はカバー片、T５４は箱床材、T５５は箱片、T５６は床片、T５７は合理ブロック、T６０は現状床、T６１は孔明具、T６２は細孔、T６３は確認具、T７０は収納管理材、T７１は写真管理材、T７２は品名管理材、T７３は薄敷材、T７４は収納管理手段、T８０は簡易カイロ、T８１は袋材、T７４は弾性材、T８３は健康手段、T８４は節電徹底手段、T８５は枯渇対策手段、T８６は脚物箱手段、T８７は耐震促進手段である。  上記実施例は生存の維持に不可欠な必需材の枯渇の危機切迫に対して、住革新による多目的装置（対強震・収納・資源・空間・省エネ・能率事務）であって、重量物品の略全重量が直接的に箱台板・脚物箱を介して床下の基礎材に支持される脚物装置を備えた１階の床ブロックと軽量物品を収納するべき２階の床ブロックと、現垂直収納（書籍棚・食器棚、他家具全般）の強震時に於ける危険性の回避手段、略全床下空間の有効活用・徹底的省エネ・事務能率化・他の活用手段、強震時の該垂直収納による家屋への負担を軽減する軽減手段、等が可能になるよう構成された略広汎な床下空間の活用による水平収納装置と、該各ブロックや装置と強固に連結するべく下部が基礎材に埋込み固定された強力な枠組みによる枠組装置とを具備し、強震等による衝撃力に対抗して構成された耐震体に関するものである。【００７４】  人体の脚足部を収容する空間を床下に確保するためには、脚物箱T４１の開発が必要になる。この脚物箱T４１が床下に1個でも床下に配設されるためには、縦方向の空間が全室的に確保され活用される必要がある。この床下の縦方向の全室的な広大な空間は最大限有効的に活用されるべきである。即ち、多数個の脚物箱T４１が並べて配設される略平箱状の耐震平箱T０５（耐震ブロックT０４）の開発が必要となる。耐震ブロックT０４は耐震平箱T０５を含み、床ブロックT１１・屋根ブロックT１２の一部を成す。【００７５】  先ず上記の脚物箱T４１と、これが床下に配置される脚物装置T４０について説明する。脚物箱T４１は通常の平均的な身長の人体がその脚足を収容するものである。従って脚物箱T４１は人体の脚足がヒザで折り曲げて膝下の脚足部を収容する縦（垂直）方向の深さが必要��される。いま平均的な身長の膝下の脚足部が、例えば略３５〜５０cmとすれば脚足部を収容すべき脚物箱T４１は深さが少なくとも略４５cm前後の略直方体状の箱である必要があると推定される。【００７６】  脚物箱T４１は強段ボール製であれば、同様の形状で深さのみが若干異る標準型を数種類設定することも可能である。また若干の深さは脚物箱T４１の内底に強段ボール製の調整板T４８を必要枚数ほど重ねることでも調整が可能である。脚物箱T４１は同型・同大の直方体箱が少数種に限って標準型として設定する方が製造・管理・他の面で有利であるから極力調整板T４８の調整で解決を図る。標準型が設定されれば箱が置かれる箱台板T４６の設定も可能になる。調整板T４８は脚物箱T４１へ収容する収容物品の仕切板T４８にも活用できる。仕切板T４８は収納物品を区別して整然と管理する上でも有効的な機能を有する。【００７７】  脚物箱T４１が使用される脚物装置T４０はそれだけでも独立的に実用可能である。脚物箱T４１は居住床T４２に形成された収容穴T４３に対応して箱台板T４６の上に設置される。脚物箱T４１は上面開口であるから収容穴T４３の蓋を兼ねてカバーT４４が収容穴T４３に設けられる。カバーT４４は居住床T４２と同じ合板等が定寸に切断されて表面が同じ高さになるよう周縁枠T５１のカバー片T５３に○○される。周縁枠T５１は穴片T５２・カバー片T５３を備えた鉄板等によって略四角枠状に形成される。周縁枠T５１はカバーT４４に人が乗っても充分耐えられる板厚の鉄板等によって能率的に製造され強度等が管理される。【００７８】  周縁枠T５１はカバーT４４には常時付設して一体化するがカバー型と他に収容穴T43の周縁に付設して一体化する穴型とがある。これは住人の選定に依ってもよい。しかしカバー型の方が収容物品出し入れする場合に引掛る縁が少なくカバー片T５３が支障されることがないので望ましいと考えられる。カバー型は製造時に一体化すれば組立の都合がよい。なお、周縁枠T５１は人が扱っても安全にあらかじめ、バレル研摩の必要があると考えられる。【００７９】  脚物箱T４１はその開口端縁の周辺と収容穴T４３の周辺との間に大きな間隙があると床下の冷たい空気が室内に上がる不都合が考えられる。従ってこの間隙は極力小さく抑制されるべきである。このためには例えば弾性状の密接材が収容穴T４３の下面周辺に付設されることも必要である。脚物箱T４１の開口縁の周片が収容穴T４３の周縁下面に圧接されるよう延設される必要も考えられる。また上記２者の併用として上記の周片に密接材に一体化されてもよい。【００８０】  さらに床下と室内との空気の流通を回避する手段がある。脚物箱T４１はその開口部の内面に嵌入された四角枠で断面略四角筒型の箱床材T５４が適大の小ネジや押しピンによって収容穴T４３の周辺下面に取付されるよう治具により数個まとめて手早く付設する配置装置である。これによれば最大限に床下と室内の空気流通は遮断される。空気流通の遮断は冬期の室内の温度維持にも影響するので重要である。この箱床材Ｔ５４は嵌入されるので箱台板T４６と居住床T４２の高さに若干のバラツキがあっても充分に対応することが可能である。さらに強震の際には突発的な横揺れが付加されても上記押しピンや小クギは居住床Ｔ４���の下面から無理なく外れる。従って建築物は強震等の無理な衝撃力が付加されず耐震性を高めることができる。【００８１】  収容物品の重量物は全て集めれば相当の重量になる。そこでこの全重量は１階の床ブロックT１１下方床下の基礎凸起T４７に載置された箱台板T４６で全て支持する。１階の床下空間は床下の過度な大地の湿気や害虫の悪影響を受けないようコンクリートで包囲して基礎凸起T１５と床下面とのあいだの空気は（例えば屋根裏）の排気扇Ｔ１８によって排気可能とする。箱台板T４６（例えば耐候処理済で耐湿気用の鉄板と合板との組み合わせで構成される。）は床下でも耐えられる材質を選定し、全重量が脚物箱T４１と箱台板T４６とによって支持される。強震時の突発的な横揺力の付加には箱台板T４６の上を脚物箱T41の底面の滑りや突発的移動を許して建築物への付加が軽減される。これによって一戸建住宅等の強震時に於いても倒壊が抑制されるとすれば、多数の一戸建は耐震性が改善されることになり、長期的目標が達成される。【００８２】  耐震体の基本構成  本件の耐震体は特に耐震性を向上するために、従来の一戸住宅と異る構成その狙いや期待される効果を下記のように対照的に掲載して長期的是非の基準とする。【００８３】a  耐震体T00の基本構成は望ましくは、鉄鋼製で垂設される複数本の骨格材T20とその下部。中部・上部に強連結される木質系を中心として極力軽量構成にした木質主体構成であって、例えば１階の床ブロックT１１と、２階の床ブロックT11と屋根ブロックT12とによって構成される。これらの各ブロックは略平箱状をなしその角部に配設された縦柱Ｔ３２・横柱Ｔ３１の足部に強結合材で結合される。それら自体が強震が作用しても強固に原型を維持するよう構成され、上記各柱には複数の箇所で強連結材Ｔ２６によって骨格材Ｔ２０と強連結される。これによって、これらは強度の高い骨格材T20に強連結される横断面・縦断面のいずれも枠組状の連結で構成され各ブロックの原型手段Ｔ０３及び骨格材T20の垂直手段T02が相互補完的に維持されるよう構成する。【００８４】b  耐震体T00の骨材T20は基本的に両側面に深溝を備えて長枠状に形成され連結孔が形成される。骨格材T20の下部は約３５cm以上鉄筋コンクリート製の基礎材T21の中に埋込み固定される。これにより骨格材T20は途中で折れ曲がるか、基礎材T21が破壊されない限りその垂直手段Ｔ０２は極力、強力的に維持される。基礎材T２１は強震による衝撃力に耐えるよう設計されている。【００８５】ｃ  骨材T２０自体の重量は、基礎材T２１で支持されているから負荷は少ない。さらにその下部・中部・上部に連結される各ブロックの重量は木質系で枠組構造だから左右及び前後の各部に均等に付加され衝撃力に耐える強さがある。即ち原型手段Ｔ０３が強固に維持される。【００８６】d   屋根ブロックT12の重量は、従来の重い瓦や粘土の代わりに、遮熱性で超軽量の古紙玉を含む遮断箱T１７の配列と排気孔・流気孔との組み合わせによって超軽量でありながら遮熱性・耐候性の向上を図る。側壁ブロックT13も従来の粘土等の土質系や化石系の遮断材T16の代わりに古紙塊T18入の遮断箱T17の配列と流気孔を介して軽量ながら耐候性・防音性の向上を図って構成されている。【００８７】e   従来、１階・２階の床ブロックT11の重量を高めていた日常の重量物品は多数の脚物箱T41に収容してその全重量は基礎材Ｔ１４・基礎凸起Ｔ１５に載置された箱台板Ｔ４６を介して、集中的・直接的に基礎材Ｔ１４で支持可能に構成する。これによって、従来本箱・食器棚・家具・収納庫等に収められ、各階ブロックや側壁ブロックの負担となり強震時の衝撃力の付加で、結果的に家屋の倒壊の一要因となっていた問題点の解消を図る。なお、被災時に不可欠な非常用水・非常食料は鉄板カンの中に入れて脚物箱T41に収容して基礎凸起T15で全て支持可能に構成する。【００８８】f   基礎材T14・基礎凸起T15を含む基礎室は、周囲が鉄筋コンクリートで包囲されているが、床下の湿気が脚物箱T41や重量物品に悪影響を及ばさないよう構成されている。例えば基礎室の空気は排気扇T18で屋外に排出される。排気扇T18は屋根ブロックT12のものを併用することとし、床下の基礎室の空気は側壁ブロックT13の換気孔を通って屋根ブロックT12の排気孔から屋外へ排出する。この換気装置によって基礎室の温度が適正に維持されかつ居室の耐候性は相応に向上されうる。【００８９】g  排気扇は極力太陽光発電や風力によって回動され、両者で回動しない時や夏期の暑さが厳しい日は家庭電源でも換気可能とし、自動切換される。これによって２階は太陽光の熱の影響を過度に受けないよう耐候性が向上される。なお、２階の床ブロックT30は、標準の脚物箱T41は一部のみとし、床下空間には湿気を回避するべき寝具や衣類等の軽量物品を収容するべく、例えば木質性の軽物箱Ｔ４９が配置される。軽物箱Ｔ４９は木板等によって大型に構成される。【００９０】h  ２階の床ブロックT30や屋根ブロックT12は強連結材で骨格材T20に強連結される。１階の床ブロックT11は、その重量が極力前記箱台板T４６に支持されて骨格材T20に強連結される。側壁ブロックT１３はその側端縁が骨格材T20の深溝T23○○されて骨格材Ｔ20に強連結され、必要に応じて各床ブロックＴ１１の横柱Ｔ３１及び縦柱Ｔ３２に強連結される。これらの強連結は設計段階に於いて入念に検討されて最適の構成が選択されるべきである。実用化の前に試験を確認・データ分析される。【００９１】i  このような強連結によって、各ブロックの更新は特別に配慮される。屋根や側壁は素材が薄鉄板製とすれば、付近で多少の火災があっても類焼をまぬがれる。屋根に瓦を装備することは、耐震性に大きく影響するので新素材（軽量で耐候性に優れる材質）の開発が検討されるべきである。しかし化石材料は早晩枯渇するし、貴重な材質であるから極力避けねばならない。【００９２】J  屋根は木材との組合わせとした。薄鉄板は耐候処理を施したとしても耐候性の寿命に限界がある。この耐候処理は技術も開発されるべきである。人類は大自然の中で生きていく以上、耐候性等の耐環境の技術は不可欠である。耐候性には限界がある。表面が過度に損傷を受けぬ中に新耐候処理を施した新板がスポット溶接等によって付設し、更新される。損傷部は部分的にシートを介する。
【産業上の利用可能性】
【００９３】（１）本発明の脚物体は、一般の住宅の新築に於いて最も有効的に活用される。例えば新築に於いては企画・研究・設計の段階から根本的に検討される必要がある。しかし、新築に限らず在来宅に於いても床改築は単に床板も外すのみで、床下は露出する。脚物箱を収納しうる床下の縦長さがある住宅に於いては、脚物箱を配置することはそう困難なことではない。床柱で囲える空間に配置すれば良いからである。（２）脚物体は一戸建住宅に最も広く活用されるが、集合住宅（マンション・アパート）に於いても新築の場合は、上記各段階から根本的に検討されれば活用可能である。（３）脚物体は収納を必要とする物品が多い事務所に於いても活用される。人が活動する限り、収納を必要とする物品が多くある。床下に収納すれば収納状態も安定する。要は床下に脚物箱を収容しうる空間が設けられる、建築物では広く活用が可能である。但し、脚物体は１階の床下に設ける場合、防湿膜や換気扇等の防湿手段が必要である。（３）脚物体は在来宅に於いて座居机の下部に単に１〜数個の脚物箱を形成することの強い要請に対しては希望の床板に胃カメラ状の確認具を差し込んで、床柱の位置を確認して糸ノコで穴を形成する形成手段が活用される。床柱が１本でも切断されることは、床や住宅自体の強度に影響するので位置を確認して慎重な作業が必要とされる。（３）住革新装置は、それが活用される程度に依って下記四段階に分けて検討される。ａ  部分改良型・・・現在の住宅の床下に極く部分的に採用が検討され、部分的に居住床の改良が図られる。効果は主に事務能率・省エネが図れる。ｂ  多床改良型・・・家屋の床改築の機会がある住宅に於いて広範囲に検討される。効果は上記ａ、の効果に付加して、資源・空間の有効的活用が図られ試験的な実用段階に入る。可能性がある場合に限って実用試験を兼ねてデータが採られ改良設計される。ｃ  住居革新型・・・床下空間の活用を図る構想の発展性の将来展望は、一時的か、または長期的にあるべき将来の構造を求めて、総合機能の検討を図って試験される。効果としての多目的装置（請求項１）は如何にしたら達成されるか検討される。ｄ  耐震革新型・・・上記（ａ〜ｃ）の床下空間の活用型の構想にとらわれず、住居や関連の建築物における耐震構造の建築物は、長期的に如何なる構造が考えられるか検討される。この場合多目的装置（上記）が可能か否か検討される。（４）本件では一戸建の家屋を中心にその耐震性を検討したが、大地震時の大量破壊と危険性が大きいからである。将来世代の超長期にわたる生存の安全性は、「必需材の全体の確保が不可欠である」必需材の総合的な確保は耐震性もその一手段であるが、地球規模で常時必要である。
【符号の説明】
【００９４】      T00…耐震装置（耐震体）、T01…必需材、T02…垂直手段、T03…原型手段      T04…耐震ブロック、T05…耐震平箱、T10…応用手段、T11…床ブロック      T12…屋根ブロック、T13…側壁ブロック、T14…基礎材、T15…基礎凸起      T16…遮断材、T17…遮断箱、T18…排気扇、T20…骨格材、T22…埋込孔      T23…深溝、T24…翼片、T25…傾斜内面、T26…強連結材、T30…床ブロック      T31…横柱、T32…縦柱、T33…厚板（合板）、T40…脚物装置、T41…脚物箱      T42…居住床、T43…収容穴、T44…カバー、T45…配置符号、T46…箱台板      T48…調整板（仕切板）、T49…軽物箱、T50…床構成、T51…周縁枠      T52…穴片、T53…カバー片、T54…箱床材、T55…箱片、T56…床片      T57…合理ブロック、T60…現状床、T61…孔明具、T62…細孔、T63…確認具      T70…収納管理材、T71…写真管理材、T72…品名管理材、T73…薄敷材      T74…収納管理手段、T80…簡易カイロ、T81…袋材、T82…弾性材      T83…健康手段、T84…節電徹底手段、T85…枯渇対策手段、T86…脚物箱手段      T87…耐震促進手段
【図１】
2014077418.tif 000003
【図２ａ】
2014077418.tif 000004
【図２ｂ】
2014077418.tif 000005
【図３】
2014077418.tif 000006
【図４】
2014077418.tif 000007
【図５】
2014077418.tif 000008
【図６】
2014077418.tif 000009
【図７】
2014077418.tif 000010
【図８】
2014077418.tif 000011
【図９】
2014077418.tif 000012
【図１０】
2014077418.tif 000013
【手続補正書】
【提出日】平成26年5月26日(2014.5.26)
【手続補正１】
【補正対象書類名】特許請求の範囲
【補正対象項目名】全文
【補正方法】変更
【補正の内容】
【特許請求の範囲】
【請求項１】
人類の生存の維持に不可欠な必需材の枯渇等の危機切迫に対して住建革新による多目的装置（例えば重量物品を収納した脚物箱が箱台板を介して基礎材に直接的に支持される重物支持手段と、等の各手段を含む）を極力達成用に構成され、標準の人体の着座時の膝下脚足や諸物品を収納可能に略水平方向に多数広汎に載置される箱台板（箱台床）と該脚物箱の各入口の上方に収容穴が配置され通常人体が居住する居住床とが強震に十分に耐える強度に縦横柱を介して強結合された耐震平箱を含む高強度の床ブロックを備えた水平収納装置と、下部が鉄筋コンクリートの基礎材に相対向して強固に埋込固定・垂設される複数対の高強度の骨格材の下・中・上部に、該水平収納装置の床ブロックの両端部が強震に耐える高強度を備えて枠組的に強連結され強震の破壊的な衝撃力に対抗すると共に該骨格材の垂直性が維持される枠組装置と、該骨格材に両側縁が連結される側壁ブロックや該骨格材の上部に連結される屋根ブロックを含んで該枠組装置の補完的な機能を備えた建用装置と、を具備し、新時代への布石の１手段を含めて相互補完的に構築される耐震体（養護体）を有する養護装置。
【請求項２】
前記養護体は人体の膝下の脚足部や各種の物品を収納するべき脚物箱を多数個ほど収容可能で各角部に強固な横柱・縦柱を配し、該各柱の側部に強固に結合された強板（合板）等によってそれ自体が充分に強震に対抗しうるよう強固に構成された各階の床ブロックや屋根ブロックとそれらにも採用可能で家屋の下部・中部・上部に配置された耐震ブロックと該耐震ブロックの横柱・縦柱に強連結材によって強固に強連結された鉄鋼製の前記骨格材とを具備し、家屋の要部を支え全家屋にわたって相互補完的な役割を備えそれ自体が強力な構造物の重要な要素を成す耐震ブロックと該骨格材とによって強力に枠組連結されて強震の衝撃力への対抗性を追求してまとまりのある構造物に構成された耐震体を有する請求項１に記載の養護装置。
【請求項３】
前記養護体は、前記多目的装置に含まれる多数の各手段は下記を目標に構成され、養護体の要部の構成材の徹底ブロック化・共通化を図る徹底ブロック化手段と、養護体の要部の構成材の徹底標準化・略全室活用化を図る徹底標準化手段と、養護体の各ブロックの製造自動化・結合機械化・品質安定化を図る結合機械化手段と、養護体の各ブロックの製造自動化・工場生産化・脱専門化・一般化を図る工場生産化手段と、養護体の各ブロックの骨格材への連結を簡易機械化を図る連結簡易化手段と、養護体の製造自動化・組立簡易化で供給高速化を図る供給高速化手段と、養護体の製造自動化・組立簡易化で省力化・共通化を図る極力省力化手段と、養護体の製造自動化・簡易化・家具不要化・経済化を図る極力経済化手段と、養護体の鉄材・木材の長所を活かす相互補完的な融合化を図る木鉄融合化手段と、養護体の床ブロックと骨格材との下・中・上部枠組装置で強化を図る耐震性強化手段と、養護体の脚物箱への必要物資の備蓄・供給高速化を図る災害対策化手段と、養護体の脚物箱への脚足の収容で全身的血流促進を図る血流促進化手段と、養護体の脚物箱への脚足の収容で勉学・事務の能率化を図る事務能率化手段と、養護体の全体的な太陽光活用で創エネ・健康増進化を図る創エネ増進化手段と、養護体の略全床下の脚物箱で実生活用収納合理化を図る収納合理化手段と、養護体の高騰化する居住土地での空間有効活用化を図る空間有効化手段と、養護体の略断熱的に区画された脚物箱で徹底省エネを図る省エネ徹底化手段と、養護体の家具・本柵・食器柵の不用化や省エネで資源節減を図る資源節減化手段と、養護体の各住宅の最新技術による連携で住制御部の構成（図４）を図る住制御化手段と、養護体の各住宅の機能連携で必要制御部の構成（図４）を図る制御組織化手段と、を必要選択的に具備した多目的装置によって、新時代への布石を含めてまとまりのある耐震体が構築される請求項１に記載の養護装置。
【請求項４】
前記養護体は、複数本の骨格材の下部が埋込み固定された基礎材から上方へ突設された基礎凸起と、該基礎凸起の上に防湿材を介して載置された箱台板と、該箱台板の上に底面が載置され１階の居住床に形成された収容穴に対応してその下方に配置され略大部分の日常の重量物品が収容された多数個の脚物箱と、該脚物箱の開口部から嵌入され、垂直方向の多少の移動や該箱台板と１階の居住床との高さのバラツキを充分に吸収するべき垂直片及び該垂直片の上端縁から略水平方向に延設されて、その上面が該居住床の下面に（弱）付設され、強震の衝撃力の付加に対しては該居住床（建築物）への無理な衝撃力から即座に離脱が可能で１階の居住室の空気と床下の空気との流通が抑制されて該居住室の居住性が充分に確保されるべく形成された配置材とを具備して構成された耐震体を有する請求項１に記載の養護装置。
【請求項５】
前記養護体は、前記骨格材に形成された縦方向の定間隔の係合孔に係合される係合片及び載置片を備えた強固な金属製の複数の係合材と該係合孔の位置によって高さが設定された載置片に載置される枠状の載置枠と該載置枠に端縁下面が載置され高さを選定して設定される各ブロックと該骨格材の他の係合孔に貫通された強ボルトを挿通した各ブロックとを具備し、該強連結の高さ・数量の選定・連結・解除・取替えが可能で部材の処理・部分的再利用・居住土地の移動・再組立や強壮部材の長期使用等が可能に構成された耐震体を有する請求項１に記載する養護装置。
【請求項６】
前記養護体は、前記屋根ブロックの屋根裏の空部や前記側壁ブロックの空部に収容されて従来の重い粘土や化石材製の遮断材の代わりとして並べて配設される直方体で厚紙製の遮断箱と、古新聞紙や不要の古紙等が該遮断箱の内部にもみくちゃにして収納され、空気室が細分化されて熱伝導・空気の対流が抑制されて、遮断性・防音性を極力向上すると共に超経済性・製造組立性・超軽量性を備えて構成され、建物の最上部や中間部に於ける重量が極力軽減されて強震の衝撃力に対抗して構成された遮断材を具備して構成された耐震体を有する請求項１に記載の養護装置。
【請求項７】
前記養護体は表面処理済の鉄板が取替え可能に木板に結合され前記屋根ブロックの一部として類焼抑制用に付設され、必要によりスポット溶接等によって取付可能に構成された軽屋根と、該軽置屋根と該軽置屋根の裏側に一定の排気隙を備えて付設され、多数の前期遮断箱が並べて載置された遮熱板と該遮熱板の下方の空間に一定の脱気隙を備えて天井板の上に載置された軽物箱と前記床下の基礎空間の床空気が壁間隙を通って該軽物箱や該排気隙・該脱気隙を経て排出されるべく極力太陽光発電や風力によって回動される排気扇とを必要選択的に具備し、大地震の大きな影響を受ける建築最上部が相当の軽量の屋根ブロックでありながら太陽光の照射熱等が２階・１階の住空間へ悪影響を誘起しにくく、相応の耐震性の１要素を極力提供可能に構成された耐震体を有する請求項１に記載の養護装置。
【請求項８】
前記養護体は、一般住宅・諸施設に於ける広間・居室に載置される座居机の下方の床下に、使用各者の脚足部を各々独立的に挿入・収容して下記各手段の誘引となる多目的用に複数回に区画（該座居机の床下空間が数分の１に断熱的に分断）された標準構成で略断熱用の脚物箱と該使用各者の各室に於ける腰掛姿勢に類似して・勉学・諸事務の能率化を図って構成される事務能率手段と大電力や化石燃焼による全室暖房や全床暖房に代って極小コタツ・簡易カイロ・毛布等の極小暖房への転換を図る極小暖房手段とエネルギーの枯渇・原子力発電の危険性から再生可能エネルギーへのエネルギーのＥ転換手段と資源枯渇への対応を図る節電徹底手段とを必要選択的に具備し、極力持続的安定と耐震性の向上を遠目標にその一手段を図る耐震体を有する請求項１に記載の養護装置。
【請求項９】
前記養護体は、床改築・新築時の省エネルギー化・他多目的用に設計・構成される床構成であって、略全室の横柱間に略全室の床下に標準の収容穴を備え、標準化された居住床と該収容穴に嵌入される強段ボール製で略直方体状に形成された脚物箱と該脚物箱の開口窓を閉鎖して通常の居住床・座居机・電気コタツにも併用可能で収納物品の確認や室内の移動使用も可能に配置記号が付されたカバーと該脚物箱が載置されるべく特に１階では基礎突起の上に載置されて全重量が基礎材に支持される箱台板とを具備し、重量物品の全重量の負担が無く強震の衝撃力に対して極力有利に構成された耐震体を有する請求項１の記載の養護装置。
【請求項１０】
前記養護体は、現在使用中の居住床の省エネルギー化・事務能率化用に個々に対応して構成される床構成であって、使用室の座居机の下方床下の床柱の配置と座居机の設置位置が確認されるべく径細の孔明具によって形成される細孔と該細孔に挿通して貫通された胃カメラ状で該座居机下の床柱の位置を確認用の確認具と該細孔に貫通された糸ノコによって居住床に設置される前記座居机を挿入・設置用の収容穴とを必要選択的に具備し、現在の居住床に設置された該座居机や電気コタツを応急的な腰掛姿勢に類似して勉学・諸事務の能率用に具備してその便宜を図るとともに、現在使用中の居住床に於ける腰掛け姿勢の脚足部の極小空間の極小暖房を可能にし、全室暖房・全床暖房の代用として徹底省エネ化を図るよう構成された耐震体を有する請求項１に記載の養護装置。
【請求項１１】
前記養護体は、前記脚物箱に収容される収容物品の各層毎のスナップ写真データを蓄積用のＣＤや該ＣＤのデータを再生可能なＤＶＤ・パソコンまたは写真集等を含む写真管理材と略同型同大で規則的に配設された該脚物箱への収容物品の品名や配置が掲載される収容物品名の管理表等の品名管理材と、望ましくは和室に於いては該収容物品の現物を比較的に的確・簡単に出入可能で表面は従来の畳和室と大差がなく標準畳の略数分の１の厚さの薄敷材とを必要選択的に具備し、収容物品を該写真集・管理表による小面積での全品管理で現状の前記垂直収納に於ける現物の探索・出入よりも的確で整然とした収納管理手段が可能で前記住革新への多目的の一手段を図る耐震体を有する請求項１に記載の養護装置。
【請求項１２】
前記養護体は、枯渇時期が切迫する化石資源製の粘着剤の塗布が不要な使い捨ての簡易カイロを取替え可能に収容するべく上端縁開口の略矩形袋状に形成された袋材と該袋材の両側縁とに長短取替え可能に連接された弾性を有する弾性材とを具備し、血流の要部とされる人体の各部（望ましくは例えば足首部・足表部・足裏部・大腿部・腰部・首部・他）を小〜大範囲に移動可能な移動熱部を構成して、その血流の促進によって対冷え症体質・心臓虚弱体質等への健康手段と略静止姿勢（立位姿勢・腰掛姿勢・寒中屋外姿勢）に於ける快適・健康手段と厳冬期に於ける全室暖房のカイロ暖房による節電徹底手段と、日常の意識更新による枯渇対策手段と、該移動熱部の血流促進の有効活用に必要不可欠な脚物手段と、重量物を収容せる脚物箱の重量を１階床下の基礎材によって略全面的に支持した耐震性に対応する耐震促進手段とを併備して構成された耐震体を有する請求項１に記載の養護装置。
【請求項１３】
前記養護体は、前記耐震体の各構成部材が標準化して極力経済的に提供可能に構成された標準型と、複数個の該標準型の各端部と連接して出入可能な水平断面略口型の連接型と、を具備し、複数個の該耐震体（標準）を組合せて［例えば横長型、逆Ｌ字型、略コ字型］等の集合住宅型がありながら、耐震性を保持した耐震体（連接）を有する請求項１に記載の養護装置。
【請求項１４】
前記養護体は、現在使用中の居住床の適所に前記収容穴が形成され、その床下に箱台板を介して前記脚物箱が配置されて前記座居机に於ける能率事務の向上・徹底的省エネを目標に極く小範囲に改良される部分改良段階と、該床下の縦方向長さの空間が最大限に活用されるべく必要な各部屋に略全室的に現在の居住床が外され露出した床柱の間の床下空間に箱台板を介して前記脚物箱が多数配置され、多数の収容穴が形成された新居住床で被覆され前記多目的装置を兼ねて当面の目標として中範囲に改良される多床改良段階と新しく企画・設計される新築に於いて前記耐震ブロックを各階ブロック・屋根ブロックに採用するとともに、略全床下空間の活用を図って現垂直収納から広汎な水平収納装置への略全面的な収納の転換も可能にして前記多目的装置や各手段の趣旨を活かすことを目標に革新的に改良される住革新段階とを必要選択的に具備した前記耐震体の使用方法を有する請求項１に記載の養護装置の使用方法。
【請求項１５】
前記養護体は、在来宅・新築宅の広間・居室に載置される座居机の下方の居住床に使用者の脚足部や各物品を整然と収納可能な脚物箱を収容しうる極力独立的な収容穴を複数個ほど形成する形成段階と、使用者の脚足部を略独立的に該脚物箱に収容して該座居卓を腰掛机と略同等に高能率の事務・勉学用に長時間使用可能な脚足収容段階と、不使用の脚物箱に必要な物品を垂直収納（本棚・家具・収納棚・押入れ）に代替して収納して水平方向の居住空間・居住地の有効活用を図ると共に大地震時に於ける各物品の落下・破壊や本棚・家具の転倒による人体への危機が切迫する事前に該床下空間の略全面活用によって回避する一手段とする物品収納段階とを必要選択的に具備した前記耐震体の使用方法を有する請求項１４に記載の養護装置の使用方法。
【手続補正書】
【提出日】平成28年1月13日(2016.1.13)
【手続補正１】
【補正対象書類名】明細書
【補正対象項目名】０００１
【補正方法】変更
【補正の内容】
【０００１】  本発明は、人類の生存の維持に不可欠な必需材（資源・エネルギー・環境・食料・世界人口・他）の枯渇・限界の危機切迫に対して、人が一生の大部分を過す住建に本来あるべき住革新による多目的装置（対強震・収納・資源・空間・土地の有効活用・徹底省エネ・能率事務）を目標とし、例えば強震時に大きな衝撃力が作用する重量物品の略全重量が箱台板・脚物箱を介して直接的に床下の基礎材に支持されて本来なら住建に作用する筈の該衝撃力を回避して基礎材の負担とし該住建の耐震性の向上を図る。本件は該脚物装置を備えた１階の床ブロックと、軽量物品を収納するべき２階以上の床ブロックと、を開発して物品収納と共に座居する住人の脚足部を収納し断熱性を向上して徹底省エネを図る。そして現垂直収納（書籍棚・食器棚・他家具全般）の強震時に於ける収納物落下・飛来・該垂直収納自体の転倒の危険性の回避手段、略全床下の生活に近い広大な生活空間の有効活用・徹底省エネ・勉学事務能率化・健康な座居姿勢による長時間の有効使用他の活用手段、強震時の該垂直収納による側壁・柱・天井への部分集中力等家屋への負担を軽減する軽減手段等が可能になるよう構成される。本件は万人の住の基盤から地球環境への長期的適合を徹底して図るものでその為に略広汎な床下の生活空間の有効活用が可能になる水平収納装置と、該各ブロックや装置の両端が強固に強連結されるべく下部が基礎材に埋込み固定され強力な骨格材との強連結・枠組みによる枠組装置とを、開発し、それらの組み合せ活用によって強震等による衝撃力に加えて大津波による波撃力に対抗して構成された革新体（耐震体・耐波体）に関するものである。
【手続補正２】
【補正対象書類名】明細書
【補正対象項目名】００６２
【補正方法】変更
【補正の内容】
【００６２】
【図１】
2014077418.tif 000014
【図２−１】図２−１は石油資源の消費と氷床面積の変化を示す図である。
【図２−２】図２−２は石油資源の消費と氷床面積の変化を示す図である。
【図３】図３は現在の必需材の徴候と将来の限界を示す図である。
【図４】図４は世界人口の推計と制御の１例を示す図である。
【図５】図５は日本・世界の地震分布の状況を示す図である。
【図６】図６は本発明耐震体の脚部収納の１例を示す図である。
【図７】図７は本発明耐震体の物品収納の１例を示す図である。
【図８】図８は同上発明の物品管理の１実施例を示す図である。
【図９】図９は同上発明の住建の１実施例を示す図である。
【図１０】図１０は同上発明の住建の組立の１実施例を示す図である。
【図１１】図１１は同上発明の住建  他の実施例を示す図である。
【図１２】図１２は同上発明の制御組織の１実施例を示す図である。
【手続補正３】
【補正対象書類名】特許請求の範囲
【補正対象項目名】全文
【補正方法】変更
【補正の内容】
【特許請求の範囲】
【請求項１】
人類の生存の維持に不可欠な必需材（資源・エネルギー・環境・食料・世界人口）の枯渇・限界の危機切迫に対して、人がその一生の大部分を過す住建の根源的に本来あるべき多目的手段（安全・耐震・省資源・省エネ・空間・土地活用・収納・事務合理化・他）の連携用や住建革新による必需材の是正を含む長期目標他新時代への布石用に構成された多目的装置と、下部が鉄筋コンクリートの基礎材に相対向して強固に埋込固定・垂設される複数対の高強度の骨格材と該骨格材の下・中・上部の各階に両端部が強震に十分に耐える高強度を備えて粋組的に多数箇所で強連結される床ブロックとを含み強震の衝撃的な破壊力に対抗して構成された粋組装置と、望ましくは該粋組装置は強震に十分に耐える粋組強度を更に活用して強震時等に併発され易い大津波の回避高さの高階が延設可能に構成された耐波装置と、を具備して構成された養護体（革新体・耐震体）を有することを特徴とする養護装置。
【請求項２】
前記養護体は、標準的人体の着座時の膝下脚足や諸物品を収納可能な大きさの脚物箱が多数略水平方向に略全室的に載置される箱台板（箱台床）と該脚物箱の各入口の上方に収容穴が配置され通常人体が居住する居住床とが強震に十分耐える強度に強結合された耐震平箱を含む高強度の床ブロックとを備えそれ自体が強震に十分に耐える高強度に強結合された前記多目的手段及び住建の本来の目標を達成用に構成された水平収納装置と、該住建の外周部に強連結される側壁ブロックや該住建の前記枠組の最上部に強連結される屋根ブロックを含み該住建革新の補完的な作用を備え該住建の本来の長期目標への一助を図るよう構成された建用装置と、を具備し、各垂直収納（例えば本棚・食器棚・家具等）の従来の未解決課題に対抗して根源的に構成された革新体（耐震体・耐波体）を有する請求項１に記載の養護装置。
【請求項３】
前記養護体は、前記多目的装置に含まれる多数の各手段は下記を目標に構成され、例えば前記住建の要部の構成材の徹底ブロック化・共通化を図る徹底ブロック手段と、該住建の要部の構成材の徹底標準化・略全室活用化を図る徹底標準手段と、該住建の各ブロックの製造自動化・結合機械化・品質安定化を図る結合機械手段と、該住建の各ブロックの製造自動化・連結機械化・品質安定化を図る結合機械手段と、該住建の各ブロックの製造自動化・工場生産化・脱専門化・一般化を図る工場生産手段と、該住建の各ブロックの骨格材への連結の簡易機械化を図る連結簡易手段と、該住建の使用疲労多発部に該各ブロックを有効的に活用し該連結材の連結解除・新連結等によって部分的に新調可能化を図る部分取替手段と、該住建の製造自動化・組立簡易化で供給高速化を図る供給高速手段と、該住建の製造自動化・組立簡易化で省力化・共通化を図る省力共通手段と、該住建の製造自動化・簡易化・家具不要化で経済化を図る総合経済手段と、該住建の鉄材・木材の長所を相乗的に生かす相互補完的な融合化を図る木鉄融合手段と、該住建の床ブロックと骨格材との下・中・上部の各階に強連結された枠組装置で強化を図る耐震強化手段と、該住建の脚物箱への必要物資の備蓄・供給高速化を図る災害対策手段と、該住建の脚物箱への重量物品の収容で前記基礎材に直接的に支持され強震の衝撃力の付加に対しては該脚物箱・箱台板間の若干の横滑りによって離脱を可能とし該住建への無理な衝撃負荷の緩和が可能に構成された重物支持手段と、該住建の脚物箱への脚足の収容で全身的血流促進を図る血流促進手段と、該住建脚物箱への脚足の収容で勉学・事務の能率化を図る事務能率手段と、該住建の全体的な太陽光活用で創エネ・健康増進化を図る創エネ増進手段と、該住建の傾屋根の軽薄化・脱気路・排気扇等で耐熱性・環境性を図る屋根環境手段と、該住建の略全床下の脚物箱で実生活用収納合理化を図る収納合理手段と、該住建の１階床下の基礎空気を各室循環への活用他を図る基礎活用手段と、該住建の高騰化する居住土地での空間有効活用化を図る空間有効手段と、該住建の各所への遮断箱・古紙魂の封入で空間遮断・軽量性・経済性を図る遮断手段と、該住建の略断熱的に区画された脚物箱で徹底省エネを図る省エネ徹底手段と、該住建の家具・本棚・食器棚の不用化や省エネで資源節減を図る資源節減手段と、該住建の各住宅の最新技術による連携で住制御部の構成（図４）を図る住建制御手段と、該住建の各住宅の機能連携で必需制御部の構成（図４）を図る制御組織手段と、を必要選択的に具備した多目的装置によって、新時代への布石を含めてまとまりのある革新体（耐震体・耐波体）が構築される請求項１・２に記載の養護装置。
【請求項４】
前記養護体は、前記必需材に対する過去〜現在の対処はほとんどの場合「成行型・放置型」であったがその結果止むを得ず限界状態［資源枯渇・エネルギー枯渇・環境限界・食料見通難・世界人口爆発］に陥りつつある。そこでこの現実を徹底分析して一切の課題等が根源的に革新されるべき課題分析材と、組織的な革新状態［計画性・制御性・管理性・調整性］へ方向転換する転換準備材と、該革新状態への転換の過程や実態が略表示される転換実体材と、該革新状態への転換の調整・計画が略表示される実績表示材と、を長期目標として具備して構成された革新体（耐震体・耐波体）を有する請求項１・２に記載の養護装置。
【請求項５】
前記養護体は、前記必需材（資源・エネルギーＥ・環境・食料・世界人口）の現在・近未来以降が徹底分析され目標が提示されて、資源に関する現在・近未来以降が徹底分析・革新される資源革新体と、該Ｅに関する現在・近未来以降が徹底分析・革新されるＥ革新体と、環境に関する現在・近未来以降が徹底分析・革新される環境革新体と、食料に関する現在・近未来以降が徹底分析・革新される食料革新体と、人口に関する現在・近未来以降が徹底分析・革新される人口革新体と、上記革新体の要締が明確に表示されて必要かつ的確な各段階が長期広範囲の確認・意志統一のための基盤が構成される最新技術と、を長期目標として具備して構成された革新体（耐震体・耐波体）を有する請求項１・２に記載の養護装置。
【請求項６】
前記養護体は、前記屋根ブロックの屋根板下の空部や前記側壁ブロックの空部に収容されて従来の重い粘土や化石材製の遮断材の代わりとして並べて配設される直方体で厚紙製の遮断箱と、古新聞紙や不要の古紙等が該遮断箱の内部にもみくちゃにして収納された古紙魂と、を具備し、該古紙魂によって空気室が細分化され熱伝導・空気の対流が抑制されて、遮断性・防音性を極力向上すると共に超経済性・超組立性・超軽量性・耐震性・居住性を備えて構成された革新体（耐震体・耐波体）を有する請求項１・２に記載の養護装置。
【請求項７】
前記養護体は、極力軽量薄型に構成された軽屋根と、該軽屋根と該軽置屋根の中間側に一定の排気路を備えて形成された排気隙と、該排気隙の下方の空間に一定の脱気路を備えて形成された脱気隙と、前記床下の基礎空間の基礎空気が各階の住空間や該排気隙・該脱気隙を経て排出されるべく極力太陽光発電や風力によって回動される排気扇・脱気扇と、を必要選択的に具備し、該基礎空気の循環・太陽光の照射熱等が各階の住空間へ影響を誘起して相応の耐震性・環境性の１要素を極力提供可能に構成された革新体（耐震体・耐波体）を有する請求項１・２に記載の養護装置。
【請求項８】
前記養護体は、一般住宅・諸施設に於ける広間・居室に載置される座居机の下方の床下に、使用各者の脚足部を各々独立的に挿入・収容して下記各手段の誘引となる多目的用・空気の対流抑制用に複数個に区画（該座居机の床下空間が数分の１に断熱的に分断）された標準構成で略断熱用の脚物箱と、該使用各者の各室に於ける腰掛姿勢に類似して長時間の勉学・諸事務でもその能率化を図って構成される事務能率手段と、大電力や化石燃焼による全室暖房や全床暖房に代わって極小コタツ・簡易カイロ・毛布等の極小暖房への転換を図る極小暖房手段と、エネルギーの枯渇・原子力発電の危険性から再生可能エネルギーへのエネルギー転換を図るＥ転換手段と、資源枯渇への対応を図る節電徹底手段と、を必要選択的に具備し、極力持続的安定と耐震性の向上を遠目標にその一手段を図る革新体（耐震体・耐波体）を有する請求項１・２に記載の養護装置。
【請求項９】
前記養護体は、床改築・新築時の省エネルギー化・他多目的用（他階室との断熱用・防音用・空気循環用・配線用）に設計・構成され多数の脚物箱が略全室的に配置される床下構成であって通常の居住床・座居机・電気コタツにも併用可能で収納物品の確認や能率的な収納用に室内の移動使用も可能に配置記号が付され弾性材で包囲されたカバーと、脚物箱が載置されるべく特に１階では基礎突起の上に載置されて全重量が基礎材に支持される箱台板と、を具備し、重量物品の全重量の住建への負担が無く強震の衝撃力に対して極力有利に構成された革新体（耐震体・耐波体）を有する請求項１・２に記載の養護装置。
【請求項１０】
前記養護体は、現在使用中の居住床の省エネルギー化を含む多機能用と事務能率化用に個々に対応して極力標準化・経済化して短期間に構成される床構成であって、使用室の座居机の下方床下の床柱の配置と座居机の設置位置が確認・微調整されるべく径細の孔明具によって形成される細孔と、該細孔に挿通して貫通された胃カメラ状で該座居机下の床柱の位置を確認用の確認具と、該床柱が存在しない居住床に円ノコ刃によって形成される前記収容穴と、を必要選択的に具備し、現在の居住床に設置された該座居机や電気コタツを応急的な腰掛姿勢に類似して構成し、勉学・諸事務の能率用に配置してその選択の便宜を略全室的に図るとともに、現在使用中の平板状の居住床に於ける腰掛姿勢の脚足部に極小空間の極小暖房を可能にし、全室暖房・全床暖房の代用として徹底省エネ化を図るよう構成された革新体（耐震体・耐波体）を有する請求項１・２に記載の養護装置。
【請求項１１】
前記養護体は、前記水平収納装置に於ける脚物箱に収容される収容物品の各層毎のスナップ写真データを蓄積用のＣＤや該ＣＤのデータを再可能なＤＶＤ・パソコンまたは写真集等を含む写真管理材と、略同型同大で規則的に配設された該脚物箱への収容物品の品名や配置が掲載される収容物品名の管理表等の品名管理材と、望ましくは和室に於いては該収容物品の現物を比較的に的確・簡単に出入り可能で表面は従来の畳和室と大差がなく標準畳の略数分の１の厚さの薄敷材とを必要選択的に具備し、収容物品を該写真集・管理表による小面積・目前での全品管理で現状の前記垂直収納に於ける現物の探索・出入りよりも的確で整然とした収納管理手段が可能で前記住建革新への多目的装置の一手段を図る革新体（耐震体・耐波体）を有する請求項１・２に記載の養護装置。
【請求項１２】
前記養護体は、枯渇時期が切迫する化石資源製の粘着剤の塗布が不要な使い捨ての簡易カイロを取替え可能に収容するべく上端縁開口の矩形袋状に形成された袋材と、該袋材の両側縁に長短取替え可能に連結された弾性を有する弾性材と、を具備し、動熱装置例えば血流の要部とされる人体の各部（望ましくは例えば足首部・足表部・足裏部・大腿部・腰部・首部・他）を小〜大範囲に移動可能な移動熱部を構成しその血流の促進によって対冷え症体質・心臓虚弱体質等への体質健康手段と、略静止姿勢（立位姿勢・腰掛姿勢・寒中屋外姿勢）に於ける快適姿勢・健康手段と、厳冬期に於ける全室暖房に代わるカイロ暖房による節電徹底手段と、日常の意識更新による枯渇対策手段と、該移動熱部の血流促進の有効活用に必要不可欠な脚物暖房手段と、重量物を収容せる脚物箱の重量を１階床下の基礎材によって略全面的に支持した耐震性に対応する耐震促進手段と、を併備して構成された革新体（耐震体・耐波体）を有する請求項１・２に記載の養護装置。
【請求項１３】
前記養護体は、前記耐震体の各構成部材が標準化されて極力経済的に提供可能に構成された標準型と、必要により該標準型の各端部と連結可能な水平断面略口型の連接型と、を具備し、複数個の該耐震体（標準型）を配置して構成された集合住宅型（例えば横長型、逆Ｌ字型、略コ字型）等の配置が可能であり、耐震性を保持した耐震体（連接）；幅広戸を含む住建の側壁材と、臨海地域に大津波以上の高さの高階を有する住建が割振建設して配置される耐波体（割振）と、該大津波以上の高さの該高階を有する住建への略全住民の避難割振先が表示される避難割振材と、該避難割振材によって緊急時の略全住民の避難先が表示される避難訓練材と、世界の各臨海地域に於ける津波避難計画が表示される避難計画材と、を具備し、最新技術を駆使して現在・近未来以降の津波避難の全計画が表示された耐波体（避難）；を具備して構成された革新体（耐震体・耐波体）を有する請求項１・２に記載の養護装置。
【請求項１４】
前記養護体は、前記必需材が過去〜現在に於る「成行型・放置型」の因習が既に限界状態［資源・エネルギー・環境・食料・人口等の限界・見通難］に至りつつある該因習への課題が革新される組織的な革新状態［計画・制御・管理・調整］へ方向転換する転換準備段階と、該革新状態の転換の実体が表示される転換実体段階と、該革新状態の転換の実績が表示される実績表示段階と、を具備した該革新体の使用方法；前記側壁材等によって住建への大津波の抵抗を減少する革新体の側壁手段；前記高階を有する住建の臨海地域への割振配置及び該住建への住民割振を具備した革薪体の割振方法；を有する請求項１・２に記載の養護装置の使用方法。
【請求項１５】
前記養護体は、在来宅・新築宅の広間・居室に載置される座居机の下方の居住床に使用者の膝下脚足部や各物品を整然と収納可能な脚物箱を収容しうる極力独立的な収容穴を多数個ほど形成する形成段階と、使用者の膝下脚足部を略独立的に該脚物箱に収容して該座居机を腰掛机と略同等に高能率の事務・勉学用に長時間使用可能な脚足収容段階と、不使用の脚物箱に必要な物品を垂直収納（本棚・家具・収納棚・押入れ）に代替して収納して水平方向の居住空間・居住土地の有効活用を図ると共に強震時に於ける各物品の落下・破壊や本棚・家具の転倒による人体への危機が切迫する事前に該床下空間の略全面活用によって回避する一手段を備えた物品収納段階と、を必要選択的に具備した前記革新体の使用方法を有する請求項１４に記載の養護装置の使用方法。
【手続補正４】
【補正対象書類名】図面
【補正対象項目名】全図
【補正方法】変更
【補正の内容】
【図１】
2014077418.tif 000015
【図２−１】
2014077418.tif 000016
【図２−２】
2014077418.tif 000017
【図３】
2014077418.tif 000018
【図４】
2014077418.tif 000019
【図５】
2014077418.tif 000020
【図６】
2014077418.tif 000021
【図７】
2014077418.tif 000022
【図８】
2014077418.tif 000023
【図９】
2014077418.tif 000024
【図１０】
2014077418.tif 000025
【図１１】
2014077418.tif 000026
【図１２】
2014077418.tif 000027
【国際調査報告】
2014077418.tif 000028
2014077418.tif 000029
2014077418.tif 000030
2014077418.tif 000031
2014077418.tif 000032
2014077418.tif 000033
2014077418.tif 000034
2014077418.tif 000035